(57)【要約】  第１視点用の第１画像と、第２視点用の第２画像とを含む映像データを用いて立体的に映像を知覚させるためのコンテンツデータを再生する再生部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする画像再生装置。
2011080878.tif 000002
【特許請求の範囲】
【請求項１】
第１視点用の第１画像と、第２視点用の第２画像とを含む映像データを用いて立体的に映像を知覚させるためのコンテンツデータを再生する再生部と、
前記コンテンツデータを再生するときの再生速度を設定する設定部と、
該設定部により設定された前記再生速度に応じて、前記第１画像と前記第２画像との間の視差に関する視差情報を調整する調整部と、を備えることを特徴とする画像再生装置。
【請求項２】
前記調整部は、前記コンテンツデータを視聴する視聴者に知覚される前記映像データ中のオブジェクトの飛び出し量又は引き込み量のうち少なくとも一方の知覚量を前記再生速度に応じて変更することを特徴とする請求項１に記載の画像再生装置。
【請求項３】
前記設定部は、前記コンテンツデータを第１速度で再生するための第１モードと、前記コンテンツデータを前記第１速度よりも速い第２速度で再生するための第２モードと、を選択的に設定し、
前記調整部は、前記第２モードにおける前記知覚量の変動量が、前記第１モードにおける前記知覚量の変動量よりも小さくなるように前記視差情報を調整することを特徴とする請求項２に記載の画像再生装置。
【請求項４】
前記調整部は、前記第１画像及び前記第２画像のうち少なくとも一方をシフトさせることを特徴とする請求項３に記載の画像再生装置。
【請求項５】
前記調整部は、前記第１画像及び前記第２画像を縮小することを特徴とする請求項３に記載の画像再生装置。
【請求項６】
前記調整部は、前記第１画像中の前記オブジェクトの表示位置及び前記第２画像中の前記オブジェクトの表示位置のうち少なくとも一方を変更することを特徴とする請求項３に記載の画像再生装置。
【請求項７】
前記オブジェクトは、複数のオブジェクトを含み、
前記調整部は、前記コンテンツデータが表示される表示面からの前記オブジェクトの前記飛び出し量、前記表示面からの前記オブジェクトの前記引き込み量、前記表示面中の前記オブジェクトの表示位置及び前記オブジェクトの表示面積のうち少なくともいずれか１つに基づき、前記表示位置が変更されるオブジェクトを選択することを特徴とする請求項６に記載の画像再生装置
【請求項８】
前記調整部は、前記第１画像及び前記第２画像それぞれを複数の区画にセグメント化するセグメント化部と、
前記複数の区画のうち前記オブジェクトの表示に寄与している区画を識別する区画識別部と、
前記オブジェクトの表示に寄与している区画に含まれる画像データの表示位置を変更する変更部と、を含むことを特徴とする請求項６又は７に記載の画像再生装置。
【請求項９】
前記調整部は、前記コンテンツデータが映し出される表示面に対する前記第１視点及び前記第２視点間の基準輻輳角と、前記第１画像及び前記第２画像に含まれる前記オブジェクトに対する前記第１視点及び前記第２視点間の輻輳角との差の絶対値が小さくなるように、前記視差情報を調整することを特徴とする請求項３乃至８いずれか１項に記載の画像再生装置。
【請求項１０】
前記視差情報は、前記第１画像中のオブジェクトの表示位置と前記第２画像中のオブジェクトの表示位置との差に関する情報を含み、
前記調整部は、前記第１画像と前記第２画像との間での前記オブジェクトの前記表示位置の差が小さくなるように、前記視差情報を調整することを特徴とする請求項３乃至９いずれか１項に記載の画像再生装置。
【請求項１１】
前記設定部は、前記コンテンツデータを前記第２速度よりも速い第３速度で再生するための第３モードを設定するように形成され、
前記調整部は、前記第３モードにおいて、前記第１画像及び前記第２画像のうちいずれか一方の画像を出力することを特徴とする請求項３乃至１０いずれか１項に記載の画像再生装置。
【請求項１２】
第１視点用の第１画像と、第２視点用の第２画像とを含む映像データを用いて立体的に映像を知覚させるためのコンテンツデータを再生する再生部と、
前記映像データを表示する表示部と、
前記コンテンツデータを再生するときの再生速度を設定する設定部と、
該設定部により設定された前記再生速度に応じて、前記第１画像と前記第２画像との間の視差に関する視差情報を調整する調整部と、を備えることを特徴とする表示装置。
【請求項１３】
前記設定部は、前記コンテンツデータを第１速度で再生するための第１モードと、前記コンテンツデータを前記第１速度よりも速い第２速度で再生するための第２モードと、前記コンテンツデータを前記第２速度よりも速い第３速度で再生するための第３モードと、選択的に設定し、
前記調整部は、前記第３モードにおいて、前記第１画像及び前記第２画像のうちいずれか一方のみを前記表示部に表示させることを特徴とする請求項１２記載の表示装置。
【発明の詳細な説明】
【技術分野】
【０００１】
本発明は、立体画像を視聴者に視聴させるためのコンテンツデータを再生する画像再生装置及び表示装置に関する。
【背景技術】
【０００２】
近年の映像技術の進歩に伴い、立体的な映像を視聴者に提供するための技術の提案がなされている。一般的に、視聴者に立体的な映像を視聴させるためのコンテンツデータは、左眼で視聴されるための左眼用の画像と右眼で視聴されるための右眼用の画像とを含む。左眼用の画像は、例えば、視聴者の左眼を視点として拡がる視界に写る像を表現し、右眼用の画像は、視聴者の右眼を視点として拡がる視界に写る像を表現する。【０００３】
コンテンツデータが再生されると、これら画像は、例えば、ディスプレイ上に交互に表示される。この間、視聴者は、立体画像を視聴するための専用の眼鏡装置を着用し、ディスプレイ上の画像を視聴する。左眼用の画像がディスプレイに表示されている間、眼鏡装置は右眼への光の透過を遮断するとともに左眼への光の透過を許容する。右眼用の画像がディスプレイに表示されている間、眼鏡装置は左眼への光の透過を遮断するとともに右眼への光の透過を許容する。視聴者は、右眼と左眼の網膜に映った像の違い（視差）を脳内で処理して奥行き・飛び出しを知覚する。視差の量が少なければ、像はディスプレイ面に近い位置にあるものと知覚され、視差量が多ければ、像はディスプレイ面から離れた位置にあるものと知覚される。かくして、視聴者は、ディスプレイに映し出された画像中のオブジェクトを立体的に知覚することが可能となる。【０００４】
立体的な映像を視聴させるためのコンテンツデータの再生においても、通常の２次元映像を視聴させるためのコンテンツデータの再生と同様に、高速再生のニーズが存在する。通常再生で見るための再生箇所を検索する目的で行われる高速再生においては、コンテンツデータが記憶される記憶媒体によって定められる標準再生速度より速い速度で、音声を除いた映像のみのコンテンツデータの再生が行われる。このような高速再生モードにおいて立体画像をそのまま表示してしまうと、視差量の変動が非常に速くなるため、視聴者が立体的にコンテンツデータ中のオブジェクトを知覚することは困難になる。この結果、特にコンテンツデータが動画である場合に、コンテンツ中のオブジェクトの動きを視聴者が知覚しづらいという問題が生ずる。【０００５】
特許文献１は、このような不具合を解消するために、高速再生モード中、２次元画像として、映像を表示する技術を提案する。特許文献１の開示技術によれば、高速再生モードの間、２次元映像としてコンテンツデータが再生されるので、視聴者はコンテンツデータ中のオブジェクトの動きを比較的容易に把握可能である。【０００６】
ＤＶＤプレイヤやブルーレイプレイヤといった画像再生装置に対するニーズとして、上述の標準再生及び高速再生でのコンテンツデータの再生の他、早見再生でのコンテンツデータの再生を挙げられる。通常再生で見るための箇所を検索する目的ではなく、コンテンツの内容を視聴者が楽しむために用いられる早見再生モードでは、コンテンツデータは、標準再生速度より速い速度で再生されるが、一般に高速再生速度と比べて遅めの速度で再生されるとともに、映像とあわせて音声も再生される。視聴者は、早見再生モードにおいては、高速再生では再生されなかったコンテンツデータに含まれる音声を聞きながら、標準再生速度よりも短時間でコンテンツの内容を把握することができる。例えば、既存の画像再生装置において、コンテンツデータの標準再生速度に対して、１．３倍や１．５倍で再生するモードが早見再生モードとして組み込まれている。【０００７】
上述の特許文献１の技術では、視聴者が早見再生モードでコンテンツデータを再生しようとするとき、表示される映像は２次元映像となり、コンテンツデータが有する内容が視聴者に十分に提供されないこととなる。代替的に、コンテンツデータが有する内容のまま３次元映像としてコンテンツデータが再生された場合には、ディスプレイに表示される左眼用の画像フレームと右眼用の画像フレームとの間の視差量の時間変動が大きすぎ、視聴者に眼精疲労を生じさせる可能性がある。
【先行技術文献】
【特許文献】
【０００８】
【特許文献１】特開２００５−１１０１２１号公報
【発明の概要】
【０００９】
本発明は、コンテンツデータ中のオブジェクトを立体的に視聴者に知覚させつつ、視聴者が比較的短時間でコンテンツ内容を把握できるとともに視聴者の眼に対する疲労を抑制することが可能な画像再生装置及び表示装置を提供することを目的とする。
【００１０】
本発明の一の局面に係る画像再生装置は、第１視点用の第１画像と、第２視点用の第２画像とを含む映像データを用いて立体的に映像を知覚させるためのコンテンツデータを再生する再生部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。
【００１１】
本発明の他の局面に係る表示装置は、第１視点用の第１画像と、第２視点用の第２画像とを含む映像データを用いて立体的に映像を知覚させるためのコンテンツデータを再生する再生部と、前記映像データを表示する表示部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。
【図面の簡単な説明】
【００１２】
【図１】第１実施形態に係る画像再生装置を含むテレビ装置が組み込まれた映像システムの概略構成図である。
【図２】異なる視点から撮像された画像間の視差量を概略的に説明する図である。
【図３】図１に示される画像再生装置の構成を概略的に示すブロック図である。
【図４】図１に示される眼鏡装置の構成を概略的に示すブロック図である。
【図５】図３に示される画像再生装置の調整部による画像調整の一例を概略的に示す図である。
【図６】図３に示される画像再生装置の調整部による画像調整の一例を概略的に示す図である。
【図７】図３に示される画像再生装置の調整部による画像調整の一例を概略的に示す図である。
【図８】図３に示される画像再生装置の調整部による画像調整の一例を概略的に示す図である。
【図９】図３に示される画像再生装置の調整部による画像調整の一例を概略的に示す図である。
【図１０】図３に示される画像再生装置の調整部による画像調整の一例を概略的に示す図である。
【図１１】図３に示される画像再生装置の調整部による画像調整の一例を概略的に示す図である。
【図１２】図３に示される画像再生装置の音声信号処理部による音声データ調整の一例を概略的に示す図である。
【図１３】図３に示される画像再生装置の制御を概略的に示すフローチャートである。
【図１４】第２実施形態に係る画像再生装置の構成を概略的に示すブロック図である。
【図１５】第２実施形態に係る画像再生装置に用いられる画像データを示す図である。
【図１６】第２実施形態に係る画像再生装置の調整部による画像調整の一例を概略的に示す図である。
【図１７】第２実施形態に係る画像再生装置の調整部による画像調整の一例を概略的に示す図である。
【発明を実施するための最良の形態】
【００１３】
（第１実施形態）
以下、第１実施形態に係る映像システムが図面を用いて説明される。図１は、第１実施形態に係る画像再生装置を含むテレビ装置を備える映像システムを概略的に示す。尚、図１の映像システムは、単に、例示的なものにすぎず、映像の表示手法や映像の視聴を補助するための手法に対して、他の３次元立体映像を視聴するために適切な任意の技術が適用されてもよい。【００１４】
映像システム１は、表示装置として例示されるテレビ装置２と、テレビ装置２が表示する映像の視聴を補助するための眼鏡装置３を含む。テレビ装置２は、映像を表示するためのディスプレイ装置２１と、ディスプレイ装置２１に立体映像信号を出力する画像再生装置２３と、画像再生装置２３及び／又はディスプレイ装置２１を操作するためのリモートコントローラ２５とを含む。リモートコントローラ２５は、視聴者が、画像再生装置２３及び／又はディスプレイ装置２１に対する所望の指示を入力するための複数のボタン２５１と、視聴者が入力した指示を制御信号として、画像再生装置２３及び／又はディスプレイ装置２１に送信する送信部２５２とを含む。制御信号は、例えば、赤外線信号として送信されてもよいし、ＲＦ信号として送信されてもよいし、視聴者が所望する指示を画像再生装置２３及び／又はディスプレイ装置２１に伝達することが可能な他の手法によって送信されてもよい。本実施形態において、視聴者は、リモートコントローラ２５を操作し、画像再生装置２３の再生速度を制御することができる。【００１５】
画像再生装置２３は、ＤＶＤディスクやブルーレイディスクといった記憶媒体（図１に示されず）を格納するための格納部２３１と、リモートコントローラ２５からの制御信号を受信する受信部２３２とを含む。記憶媒体には、視聴者に提供（視聴）されるコンテンツデータが記憶されている。コンテンツデータは、映像データ及び／又は音声データを含む。画像再生装置２３は、後述されるように、リモートコントローラ２５からの制御信号に基づき、コンテンツデータを再生し、立体映像信号及び音声信号をディスプレイ装置２１へ出力する。映像データは、左眼の視界中のオブジェクトを撮像して得られた左眼用の画像と、右眼の視界中のオブジェクトを撮像して得られた右眼用の画像とを含む。本実施形態では、視聴者の左眼は第１視点として例示される。また、視聴者の右眼は第２視点として例示される。代替的に、視聴者の右眼が第１視点であってもよく、視聴者の左眼が第２視点であってもよい。本実施形態において、左眼で視聴されるように作成された画像は、第１画像として例示される。また、右眼で視聴されるように作成された画像は、第２画像として例示される。代替的に、右眼で視聴されるように作成された画像が第１画像として用いられてもよく、左眼で視聴されるように作成された画像が第２画像として用いられてもよい。本実施形態では、左眼用の画像が左眼によって視聴され、右眼用の画像が右眼によって知覚されると、左眼用の画像及び右眼用の画像に表されたオブジェクトが視聴者に立体的に知覚される。【００１６】
ディスプレイ装置２１は、立体映像信号を立体映像として表示する表示部として用いられる表示パネル２１１と、音声信号を音声として出力する音声出力部として用いられるスピーカ２１２と、表示パネル２１１に表示される映像のフレームに眼鏡装置３の動作を同期させるための同期信号を出力するための送信部２１３とを含む。表示パネル２１１は、例えば、右眼用の画像のフレームと左眼用の画像のフレームとを交互に表示する。スピーカ２１２は、表示パネル２１１に表示される映像に対応する音声を出力する。送信部２１３は、例えば、右眼用の画像のフレームと左眼用の画像のフレームとの間の切り換えに同期して、同期信号を出力する。表示パネル２１１として、例えば、プラズマディスプレイパネル、液晶パネル、ＣＲＴを用いた装置、有機エレクトロルミネッセンスを用いた装置や映像を立体映像信号に基づき、映像を視聴者に視認させることができる他の装置が用いられる。同期信号は、赤外線として送信されてもよいし、ＲＦ信号として送信されてもよいし、同期信号を眼鏡装置３へ伝達することが可能な他の任意の手法によって送信されてもよい。【００１７】
眼鏡装置３は、視力矯正用の眼鏡と同様の形状をなす。眼鏡装置３は、眼鏡装置３を装着した視聴者の左眼前に配設される左眼フィルタ３１と視聴者の右眼前に配設される右眼フィルタ３２とを含む光学フィルタ部３３と、左眼フィルタ３１と右眼フィルタ３２との間に配設される受信部３４とを含む。左眼フィルタ３１及び右眼フィルタ３２は、光学的に左眼及び右眼へ透過する光量を光学的に調整することが可能である。左眼フィルタ３１及び右眼フィルタ３２は、例えば、左眼及び右眼へ透過する光の光路を遮断することによって、光量の調節を行ってもよいし、左眼及び右眼へ透過する光を偏向させることによって、光量の調節を行ってもよい。このような左眼フィルタ３１及び右眼フィルタ３２に液晶素子が好適に用いられる。【００１８】
受信部３４は、ディスプレイ装置２１から送信された同期信号を受信する。眼鏡装置３は、同期信号に基づき、光学フィルタ部３３を制御する。同期信号に基づく制御の結果、表示パネル２１１に左眼用の画像のフレームが表示されている間、左眼フィルタ３１を通じて視聴者の左眼に画像フレームからの光が透過される一方で、右眼フィルタ３２は視聴者の右眼へ到達する光の量を低減させる。また、表示パネル２１１に右眼用の画像のフレームが表示されている間、右眼フィルタ３２を通じて視聴者の右眼に画像のフレームからの光が透過される一方で、左眼フィルタ３１は視聴者の左眼へ到達する光の量を低減させる。この結果、視聴者は、左眼で左眼用の画像のフレームを視聴し、右眼で右眼用の画像のフレームを視聴することとなり、映像データに含まれる左眼用の画像のオブジェクト及び右眼用の画像のオブジェクトが立体的に知覚されることとなる。立体的に知覚されるオブジェクトは、表示パネルから視聴者側に飛び出るように或いは表示パネルに対して奥方に引っ込んだように視聴者に知覚されることとなる。【００１９】
図２は、３次元画像の一例を示す。図１及び図２を用いて、コンテンツデータに含まれる映像データの左眼用の画像及び右眼用の画像との間の視差量と、視聴者によって立体的に知覚される映像との関係が説明される。図２（ａ）は、左眼用の画像と右眼用の画像との間の視差量が「０」のときの左眼用の画像及び右眼用の画像と、視聴者に視聴及び／又は知覚される映像とを示す。図２（ｂ）は、左眼用の画像と右眼用の画像との間の視差量が「正の値」のときの左眼用の画像及び右眼用の画像と、視聴者に視聴及び／又は知覚される映像とを示す。図２（ｃ）は、左眼用の画像と右眼用の画像との間の視差量が「負の値」のときの左眼用の画像及び右眼用の画像と、視聴者に視聴及び／又は知覚される映像とを示す。尚、上述の視差量の「正」「負」に関する定義は、説明の明瞭化のためであり、本実施形態の原理を何ら限定するものではない。したがって、図２（ｂ）に示される左眼用の画像及び右眼用の画像の関係が「負の値」として定義され、図２（ｃ）に示される左眼用の画像及び右眼用の画像の関係が「正の値」として定義されてもよい。【００２０】
図２の上段に示される図は、表示パネル２１１上のオブジェクト位置と、表示パネル２１１に対する視聴者に知覚されるオブジェクトの位置を示す。図２の中段に示される図は、表示パネル２１１に表示される右眼用の画像を示す。図２の下段に示される図は、表示パネル２１１に表示される左眼用の画像を示す。【００２１】
図２に示される左眼用の画像及び右眼用の画像中には、樹木がオブジェクトとして示されている。尚、本実施形態の説明に用いられる「オブジェクト」との用語は、視聴者に知覚される画像中の物体の像を意味する。左眼用の画像中に表されるオブジェクトには、符号ＯＬが付され、右眼用の画像中に表されるオブジェクトには、符号ＯＲが付されている。また、図２に示される符号Ｒは、視聴者の右眼を示し、符号Ｌは視聴者の左眼を示す。図２に示される符号Ｆは、視聴者に立体的に知覚されるオブジェクトを示す。【００２２】
図２（ａ）に示される如く、左眼用の画像中のオブジェクトＯＬと右眼用の画像中のオブジェクトＯＲとが、表示パネル２１１中で等しい位置で映し出されるとき（即ち、視差量が「０」であるとき）、オブジェクトＦは表示パネル２１１上に位置していると視聴者に知覚される。【００２３】
図２（ｂ）に示されるように、左眼用の画像中のオブジェクトＯＬが表示パネル２１１の右側領域に位置し、右眼用の画像中のオブジェクトＯＲが表示パネル２１１の左側領域に位置し、これらオブジェクトＯＬ，ＯＲの位置の差が「Ｘ１」であるとき（Ｘ１は正の値）、左眼Ｌと右眼Ｒとの間の輻輳点（オブジェクトＯＬに対する左眼Ｌからの視線と、オブジェクトＯＲに対する右眼Ｒからの視線との交点）は、表示パネル２１１よりも視聴者に近い位置となる。オブジェクトＦは、表示パネル２１１から視聴者寄りの輻輳点上に存在するように視聴者に知覚される。図２（ｂ）に示されるオブジェクトＦと表示パネル２１１との間の距離Ｙ１は、オブジェクトＦの飛び出し量として例示される。【００２４】
図２（ｃ）に示されるように、左眼用の画像中のオブジェクトＯＬが表示パネル２１１の左側領域に位置し、右眼用の画像中のオブジェクトＯＲが表示パネル２１１の右側領域に位置し、これらオブジェクトＯＬ，ＯＲの位置の差が「Ｘ２」であるとき（Ｘ２は負の値）、左眼Ｌと右眼Ｒとの間の輻輳点は、表示パネル２１１よりも視聴者に遠い位置となる。オブジェクトＦは、表示パネル２１１よりも視聴者から離間した輻輳点上に存在するように視聴者に知覚される。図２（Ｃ）に示されるオブジェクトＦと表示パネル２１１との間の距離Ｙ２は、オブジェクトＦの引き込み量として例示される。【００２５】
図２に示される如く、オブジェクトＯＬ，ＯＲの位置の差の絶対値が大きくなるにつれて、表示パネル２１１からオブジェクトＦまでの距離は増大し、オブジェクトＯＬ，ＯＲの位置の差の絶対値が小さくなるにつれて、表示パネル２１１からオブジェクトＦまでの距離（飛び出し量Ｙ１又は引き込み量Ｙ２）は減少する。【００２６】
本実施形態において、オブジェクトＯＬ，ＯＲの位置の差Ｘ１，Ｘ２（即ち、視差量）が視差に関する視差情報として例示される。代替的に、表示パネル２１１或いはオブジェクトＯＬ，ＯＲを表示するための表示面から視聴者が知覚するオブジェクトＦまで距離を増減させるための他のパラメータが視差情報として用いられてもよい。本実施形態において用いられる「視差量を大きくする」との用語は、オブジェクトＯＬ，ＯＲの位置の差を増大させ、表示面からオブジェクトＦまでの距離（飛び出し量Ｙ１又は引き込み量Ｙ２）を大きくすることを意味する。代替的に、表示面からオブジェクトＦまでの距離（飛び出し量Ｙ１又は引き込み量Ｙ２）を大きくするために、視差量以外のパラメータ（視差情報）が調整されてもよい。本実施形態において用いられる「視差量を小さくする」との用語は、オブジェクトＯＬ，ＯＲの位置の差を低減させ、表示面からオブジェクトＦまでの距離（飛び出し量Ｙ１又は引き込み量Ｙ２）を小さくすることを意味する。代替的に、表示面からオブジェクトＦまでの距離（飛び出し量Ｙ１又は引き込み量Ｙ２）を小さくするために、視差量以外のパラメータ（視差情報）が調整されてもよい。視差量以外のパラメータの調整として、例えば、映像信号処理を通じて、オブジェクトに影を付けること、オブジェクト自体の輝度を変更することやオブジェクトの色を変更することが例示される。このような様々な手法を用いて、視聴者に知覚される距離感が調整されてもよい。【００２７】
表示パネル２１１からオブジェクトＦまでの距離の増大は、視聴者の眼に対する負担を大きくすることが経験的に知られている。また、図２（ｂ）に示されるオブジェクトＦの位置から図２（ｃ）に示されるオブジェクトＦの位置までオブジェクトＦの位置を変動させるように左眼用の画像のフレーム及び右眼用の画像のフレームを表示パネル２１１に表示するとき、オブジェクトＦの位置の変動速度の増大は、視聴者の眼に対する負担を大きくすることが経験的に知られている。【００２８】
本実施形態において、ディスプレイ装置２１は、左眼用の画像のフレームと右眼用の画像のフレームとを、例えば、１２０Ｈｚのフレームレート（左眼用の画像のフレーム及び右眼用の画像のフレームを合計して、１秒間当たり１２０枚のフレームが表示される）で表示する。標準再生速度は、記録媒体上の画像信号の各フレームがスキップ／ホールドすることなく出力並びに表示される再生速度として規定される。本実施形態において、標準再生速度は、第１速度として例示される。画像再生装置２３による標準再生速度でのコンテンツデータの再生は、第１モードとして例示される。【００２９】
本実施形態において、早見再生速度は、標準再生速度の１．３倍の再生速度として規定される。代替的に、早見再生速度は、標準再生速度よりも速く、且つ、視聴者がコンテンツデータの内容を把握することができる他の再生速度として規定されてもよい。本実施形態において、早見再生モードにおいて、１．３枚につき１枚の割合で再生フレームがスキップされる。媒体上の各フレームが通常速度（１秒当たり１２０枚）の１．３倍の速度で再生されると、１秒当たり１５６枚の再生フレームが得られるが、早見再生モードにおいて、１．３枚につき１枚の割合でフレームがスキップされるので、各再生フレームの表示時間は、通常再生と略等しくなる。かくして、ディスプレイ装置２１への出力は１秒間当たり１２０枚のフレームとなる。本実施形態において、早見再生速度は、第２速度として例示される。画像再生装置２３による早見再生速度でのコンテンツデータの再生は、第２モードとして例示される。【００３０】
本実施形態において、高速再生速度は、標準再生速度の２倍の再生速度として規定される。代替的に、高速再生速度は、早見再生速度よりも速い他の再生速度として規定されてもよい。本実施形態において、高速再生モードにおいて、２枚につき１枚の割合で再生フレームがスキップされる。この結果、ディスプレイ装置２１への出力は１秒間当たり１２０枚のフレームとなる。画像再生装置２３による高速再生速度でのコンテンツデータの再生は、第３モードとして例示される。【００３１】
本実施形態において、標準再生速度から早見再生速度又は高速再生速度への増速は、再生フレームをスキップすることにより達成される。代替的に、標準再生速度から早見再生速度又は高速再生速度への増速は、再生フレームそれぞれの表示時間の短縮によって達成されてもよい。【００３２】
図２に関連して説明された如く、標準再生速度よりも速い早見再生速度での立体映像の視聴は、標準再生速度での立体映像の視聴と比較して、視聴者が知覚するオブジェクトＦの位置が高速に変動するため、視聴者の眼に対する負担が大きくなる。【００３３】
図３は、図１に示されるディスプレイ装置２１及び画像再生装置２３の構成を説明する概略的なブロック図である。図１乃至図３を用いて、画像再生装置２３が説明される。【００３４】
画像再生装置２３の格納部２３１には、映画や音楽ビデオといったコンテンツデータが格納された記憶媒体２３３（例えば、ブルーレイディスクやＤＶＤディスク）が収容される。画像再生装置２３は、記憶媒体２３３を制御するための媒体制御部２３４を含む。媒体制御部２３４は、記憶媒体２３３を駆動するドライブ装置（図示せず）や再生アドレス設定手順といった再生プロトコルを制御する。【００３５】
受信部２３２は、図１に関連して説明された如く、リモートコントローラ２５からの制御信号を受信する。画像再生装置２３は、制御部２３５を含む。制御部２３５は、画像再生装置２３全体の制御を司る。受信部２３２は、視聴者が入力した操作情報を含む制御信号を制御部２３５へ出力する。【００３６】
画像再生装置２３は、記憶媒体２３３に記憶されたコンテンツデータを再生する再生部２３６、コンテンツデータが含む映像データに基づいて生成された画像信号を処理する画像信号処理部２３７、画像信号処理部２３７によって処理された画像信号に基づき、左眼用の画像と右眼用の画像との視差量（例えば、図２に関連して説明された視差量Ｘ１，Ｘ２）を調整する調整部２３８、コンテンツデータが含む音声データに基づいて生成された音声信号を処理する音声信号処理部２３９並びに制御部２３５から出力された制御信号を媒体制御部２３４、再生部２３６、画像信号処理部２３７、調整部２３８及び音声信号処理部２３９へ伝達するためのバス２４０を含む。制御部２３５は、受信部２３２からの制御信号に基づき、バス２４０を介して、媒体制御部２３４、再生部２３６、画像信号処理部２３７、調整部２３８及び音声信号処理部２３９それぞれを制御するための制御信号を送信し、これらを制御する。この結果、画像再生装置２３は、画像再生処理を実行することとなる。【００３７】
制御部２３５は、媒体制御部２３４や再生部２３６を制御し、視聴者によるリモートコントローラ２５の操作に従って、記憶媒体２３３に記憶されたコンテンツデータの再生速度を標準再生速度、標準再生速度より高速の早見再生速度及び早見再生速度よりも高速の高速再生速度に切り換えることができる。本実施形態において、制御部２３５は、コンテンツデータを再生するときの再生速度を設定する設定部として例示される。制御部２３５は、視聴者によるリモートコントローラ２５の操作に従って、標準再生速度での再生モードと、早見再生速度での再生モードと、高速再生速度での再生モードとを選択的に設定する。【００３８】
本実施形態において、調整部２３８は、制御部２３５によって制御された再生速度（標準再生速度、早見再生速度、高速再生速度）に応じて左眼用の画像と右眼用の画像との間の視差量を調整する。代替的に、調整部２３８は、再生速度（標準再生速度、早見再生速度、高速再生速度）に応じて、視聴者に知覚されるオブジェクトＦの飛び出し量或いは引き込み量を調整ための他のパラメータ（視差情報）を調整してもよい。【００３９】
画像再生装置２３は更に、記憶媒体２３３に記憶されたコンテンツデータを視聴者が一覧するためのメニュー画像を生成するための画像生成部２４１を含んでもよい。画像生成部２４１は、バス２４０を介して、制御部２３５から制御信号を受け取る。その後、画像生成部２４１は、制御信号に基づいて、メニュー画像を生成する。【００４０】
再生部２３６は、記憶媒体２３３に記憶されたコンテンツデータの映像データから再生対象となる画像データを読み出す。その後、再生部２３６は、読み出された画像データから左眼用の画像に対応する画像データ３６１及び右眼用の画像に対応する画像データ３６２を画像信号処理部２３７に出力する。再生部２３６は更に、記憶媒体２３３に記憶されたコンテンツデータから再生対象となる音声データを読み出す。その後、再生部２３６は、音声データを音声信号処理部２３９へ出力する。再生部２３６は更に、記憶媒体２３３に記憶されたコンテンツデータから再生対象となる画像データに関連する補助データを読み出す。その後、再生部２３６は、バス２４０経由で補助データを制御部２３５へ出力する。【００４１】
画像信号処理部２３７は、再生部２３６から出力された左眼用の画像に対応する画像データ３６１及び右眼用の画像に対応する画像データ３６２に対して、必要に応じて、記録時に施されているＭＰＥＧ−２やＨ．２６４といった圧縮符号化に対する伸長処理や、表示用画質調整処理を施与してもよい。これらの処理がなされた左眼用の画像に対応する画像データ３７１及び右眼用の画像に対応する画像データ３７２が調整部２３８へ出力される。【００４２】
画像生成部２４１が生成したメニュー画像が画像信号処理部２３７に出力されてもよい。画像信号処理部２３７は、メニュー画像をそのまま調整部２３８へ出力してもよい。代替的に、画像信号処理部２３７は、メニュー画像を左眼用の画像に対応する画像データ３７１及び右眼用の画像に対応する画像データ３７２に多重して、調整部２３８へ出力してもよい。【００４３】
調整部２３８は、制御部２３５の制御下で、画像信号処理部２３７から出力された左眼用の画像に対応する画像データ３７１及び右眼用の画像に対応する画像データ３７２との間の視差量を調整する。視差量の調整がなされた左眼用の画像に対応する画像データ３８１及び右眼用の画像に対応する画像データ３８２は、ディスプレイ装置２１の表示パネル２１１へ出力される。【００４４】
音声信号処理部２３９は、必要に応じて、再生部２３６から出力された音声データにイコライザ処理といった音声信号処理を施す。その後、音声信号処理部２３９は、音声信号処理後の音声信号３９０をディスプレイ装置２１のスピーカ２１２へ出力する。【００４５】
ディスプレイ装置２１は、テレビ装置２と眼鏡装置３との間の同期制御のために用いられる同期信号生成部２１５を含む。同期信号生成部２１５は、画像再生装置２３からディスプレイ装置２１に出力された画像信号に基づき眼鏡装置３との同期信号を生成し、送信部２１３に出力する。送信部２１３は、同期信号生成部２１５によって生成された同期信号を眼鏡装置３の受信部３４に向けて出力する。【００４６】
なお、画像再生装置２３の制御部２３５は、モード制御信号２４２を同期信号生成部２１５に出力してもよい。このモード制御信号２４２は、後ほど説明される高速再生のときの眼鏡の制御方法によって、必要な場合と無くてもよい場合がある。なお、モード制御信号２４２は、例えば、ＨＤＭＩのＣＥＣ規格による機器間制御にしたがって出力可能である。【００４７】
図４は、図１に示される眼鏡装置３の構成を説明するブロック図である。図１乃至図４を用いて、眼鏡装置３が説明される。【００４８】
眼鏡装置３は、受信部３４、内部信号生成部３８、光学フィルタ制御部３９及び光学フィルタ部３３を含む。受信部３４は、ディスプレイ装置２１の送信部２１３から送信された同期信号を受信し、電気的なタイミング制御信号に変換して内部信号生成部３８に出力する。【００４９】
内部信号生成部３８は、タイミング制御信号に基づいて、眼鏡装置３内部の各部を制御するための内部信号を生成する。光学フィルタ制御部３９は、内部信号生成部３８が生成した内部信号に基づいて、光学フィルタ部３３の左眼フィルタ３１，右眼フィルタ３２の動作を制御する。この結果、表示パネル２１１が左眼用の画像に対応する画像データ３８１の映像信号を表示している間、左眼フィルタ３１は視聴者の左眼への光の透過を許容する一方で、右眼フィルタ３２は視聴者の右眼へ透過する光の量を減少させる。逆に、表示パネル２１１が右眼用の画像に対応する画像データ３８２の映像信号を表示している間、右眼フィルタ３２は視聴者の右眼への光の透過を許容する一方で、左眼フィルタ３１は視聴者の右眼へ透過する光の量を減少させる。かくして、視聴者は、図２に関連して説明されたように、画像データ３８１及び画像データ３８２中に表示されるオブジェクトＯＲ，ＯＬを立体的に（オブジェクトＦとして）知覚することとなる。【００５０】
図１及び図３を再度用いて、早見再生時における画像再生装置２３の動作が説明される。【００５１】
視聴者がリモートコントローラ２５を操作し、早見再生速度でのコンテンツデータの再生を指示すると、制御部２３５は、バス２４０を介して、再生部２３６、画像信号処理部２３７、調整部２３８、媒体制御部２３４、画像生成部２４１及び音声信号処理部２３９を制御し、記憶媒体２３３からコンテンツデータ（映像データ及び音声データ）を早見再生速度（例えば、標準再生速度の１．３倍の再生速度）で再生する。画像信号処理部２３７は、映像データ中の画像を間引いて調整部２３８へ画像データ３７１，３７２を出力する。この結果、視差量の時間変化は大きくなる。調整部２３８は、視差量の時間変化を小さくすべく、視差量を調整するための処理を実行する。【００５２】
図５は、調整部２３８による視差量を調整するための処理を説明する図である。図５（ａ）は、記憶媒体２３３に記憶されたコンテンツデータ（映像データ）に含まれる左眼用の画像及び右眼用の画像を示す。図５（ｂ）は、調整部２３８によるシフト量を決定する工程を示す。図５（ｃ）は、調整部２３８によって、視差量の調整がなされた後の左眼用の画像及び右眼用の画像を示す。図５の上段には、左眼用の画像が示されている。図５の下段には右眼用の画像が示されている。図１乃至図３並びに図５を用いて、調整部２３８による視差量を調整するための処理が説明される。【００５３】
記憶媒体２３３に記憶されたコンテンツデータに含まれる左眼用の画像と右眼用の画像との視差量は、図５（ａ）中、符号「Ｘ３」で示されている。視聴者がリモートコントローラ２５を操作し、標準再生速度を選択したとき、調整部２３８は視差量を維持したまま、ディスプレイ装置２１に映像信号（画像データ３８１，３８２）を出力する。視聴者がリモートコントローラ２５を操作し、早見再生速度を選択したとき、調整部２３８は、図５（ｂ）に示される如く、左眼用の画像の左縁から所定の幅のトリム領域ＴＬ及び右眼用の画像の右縁から所定の幅のトリム領域ＴＲを決定する。その後、調整部２３８は、トリム領域ＴＬ以外の左眼用の画像の領域をトリム領域ＴＬの幅の分だけ右方に移動させる。この結果、トリム領域ＴＬの画像データは消滅する一方で、左眼用の画像の右縁に沿ってトリム領域ＴＬの幅と等しい幅の画像データが存在しない領域ＮＬが生ずる。この画像データが存在しない領域ＮＬには、例えば、灰色で表示されるように補足的な画像データが埋め込まれてもよい。同様に、調整部２３８は、トリム領域ＴＲ以外の右眼用の画像の領域をトリム領域ＴＲの幅の分だけ右方に移動させる。この結果、トリム領域ＴＲの画像データは消滅する一方で、右眼用の画像の左縁に沿ってトリム領域ＴＲの幅と等しい幅の画像データが存在しない領域ＮＲが生ずる。この画像データが存在しない領域ＮＲには、例えば、灰色で表示されるように補足的な画像データが埋め込まれてもよい。かくして、左眼用の画像の中に表されているオブジェクトＯＬと右眼用の画像の中に表されているオブジェクトＯＲとが互いに近づくように、左眼用の画像及び右眼用の画像のシフトがなされる。この結果、左眼用の画像と右眼用の画像との間の視差量（左眼用の画像中のオブジェクトＯＬと右眼用の画像中のオブジェクトＯＲとの間の位置差）が低減する。低減された視差量は、図５（ｃ）において、符号「Ｘ４」で示されている。したがって、調整部２３８は、標準再生速度でコンテンツデータの再生が行われている間の視差量よりも、早見再生速度でコンテンツデータの再生が行われている間の視差量を低減させることができる。【００５４】
早見再生速度として、画像再生装置２３が複数の再生速度を用意している場合、トリム領域ＴＬ，ＴＲの幅は、再生速度が大きくなるにつれて大きくされることが好ましい。これにより、比較的速い早見再生速度では、視差量がより小さくなるように調整され、比較的遅い早見再生速度では、視差量がより大きくなるように調整されることとなる。トリム領域ＴＬ，ＴＲの幅は、再生速度をパラメータとする所定の演算式を用いて、演算並びに決定されてもよい。代替的に、早見再生速度それぞれに対応するトリム領域ＴＬ，ＴＲの幅を示すルックアップテーブルが用意されてもよい。調整部２３８は、ルックアップテーブル内に用意されたトリム領域ＴＬ，ＴＲから、視聴者によるリモートコントローラ２５の操作によって決定された特定の早見再生速度に対応するトリム領域ＴＬ，ＴＲを選択してもよい。【００５５】
左眼用の画像に対するトリム領域ＴＬの幅は、左眼用の画像に対するトリム領域ＴＲの幅に等しいことが好ましい。これにより、標準再生速度での再生時において視聴者に立体的に知覚されるオブジェクトの位置と早見再生速度での再生時において視聴者に立体的に知覚されるオブジェクトの位置との間の差が少なくなる。必要に応じて、左眼用の画像及び右眼用の画像のうち一方に対してのみ、図５に関連して説明された画像のシフト処理が実行されてもよい。或いは、必要に応じて、互いに異なるシフト量で、左眼用の画像及び右眼用の画像に対し、シフト処理が実行されてもよい。【００５６】
図６は、調整部２３８による視差量を調整するための他の処理を説明する図である。図６（ａ）は、記憶媒体２３３に記憶されたコンテンツデータ（映像データ）に含まれる左眼用の画像及び右眼用の画像を示す。図６（ｂ）は、調整部２３８による縮小量を決定する工程を示す。図６（ｃ）は、調整部２３８によって、縮小量の調整がなされた後の左眼用の画像及び右眼用の画像を示す。図６の上段には、左眼用の画像が示され、下段には右眼用の画像が示されている。図１乃至図３並びに図６を用いて、調整部２３８による視差量を調整するための処理が説明される。【００５７】
記憶媒体２３３に記憶されたコンテンツデータに含まれる左眼用の画像と右眼用の画像との視差量は、図６（ａ）中、符号「Ｘ３」で示されている。視聴者がリモートコントローラ２５を操作し、標準再生速度を選択したとき、調整部２３８は視差量を維持したまま、ディスプレイ装置２１に映像信号（画像データ３８１，３８２）を出力する。視聴者がリモートコントローラ２５を操作し、早見再生速度を選択したとき、調整部２３８は、図６（ｂ）に示される如く、縮小された画像の表示領域Ｄを決定する。表示領域Ｄは、コンテンツデータに含まれる左眼用の画像及び右眼用の画像の表示領域と相似形状の領域である。表示領域Ｄの中心が、コンテンツデータに含まれる左眼用の画像及び右眼用の画像の表示領域と一致するように、表示領域Ｄの位置が決定される。その後、調整部２３８は、左眼用の画像及び右眼用の画像を表示領域Ｄで定められる大きさの領域まで縮小する。この結果、縮小された左眼用の画像及び右眼用の画像の周縁に沿って、画像データが存在しない領域Ｎが生ずる。この画像データが存在しない領域Ｎには、例えば、灰色で表示されるように補足的な画像データが埋め込まれてもよい。かくして、調整部２３８による縮小処理により、左眼用の画像の中に表されているオブジェクトＯＬと右眼用の画像の中に表されているオブジェクトＯＲとが互いに近づくこととなる。この結果、左眼用の画像と右眼用の画像との間の視差量（左眼用の画像中のオブジェクトＯＬと右眼用の画像中のオブジェクトＯＲとの間の位置差）が低減する。低減された視差量は、図６（ｃ）において、符号「Ｘ４」で示されている。したがって、調整部２３８は、標準再生速度でコンテンツデータの再生が行われている間の視差量よりも、早見再生速度でコンテンツデータの再生が行われている間の視差量を低減させることができる。【００５８】
早見再生速度として、画像再生装置２３が複数の再生速度を用意している場合、調整部２３８による画像縮小率は、再生速度が大きくなるにつれて大きくされることが好ましい。これにより、比較的速い早見再生速度では、視差量がより小さくなるように調整され、比較的遅い早見再生速度では、視差量がより大きくなるように調整されることとなる。調整部２３８による画像縮小率は、再生速度をパラメータとする所定の演算式を用いて、演算並びに決定されてもよい。代替的に、早見再生速度それぞれに対応する画像縮小率を示すルックアップテーブルが用意されてもよい。調整部２３８は、ルックアップテーブル内に用意された画像縮小率から、視聴者によるリモートコントローラ２５の操作によって決定された特定の早見再生速度に対応する画像縮小率を選択してもよい。【００５９】
図７は、調整部２３８による視差量を調整するための他の処理を説明する図である。図７（ａ）乃至図７（ｄ）は、調整部２３８が行う処理を順に示す。図７に示される画像は、右眼用の画像である。図７に関連して説明される調整部２３８による処理は、左眼用の画像に対しても同様に適用可能である。図１乃至図３並びに図５乃至図７を用いて、調整部２３８による視差量を調整するための処理が説明される。【００６０】
図５及び図６に示される処理において、調整部２３８は画像全体を処理しているが、図７に示される処理において、調整部２３８は画像中のオブジェクト単位で処理を実行する。このため、調整部２３８は、第１画像及び第２画像をセグメント化するセグメント化部と、セグメント化により得られた区画のうち、オブジェクトの表示に寄与している区画を識別する区画識別部と、識別部によって識別された区画に含まれる画像データの表示位置を変更する変更部とを備えることが好ましい。視聴者がリモートコントローラ２５を操作し、早見再生速度を選択したとき、セグメント化部は、図７（ａ）に示される如く、画像を複数の矩形区画にセグメント化する。区画識別部は、画像中のオブジェクトＯＲの表示に寄与している区画を識別する。オブジェクトＯＲの識別には、輪郭抽出といった既知の画像処理技術が適用可能である。図７（ｂ）に示されるように、区画識別部は、画像の各区画がオブジェクトＯＲの表示に寄与しているか否かを判定し、オブジェクトＯＲの表示に寄与している領域Ｃを決定する。図７（ｃ）に示されるように、その後、変更部は、領域Ｃに含まれる画像データの表示位置を右方に移動させる。領域Ｃに含まれる画像データの表示位置の移動量は、早見再生速度の大きさに応じて、適宜定められる。領域Ｃに含まれる画像データの表示位置の変更に伴い、領域Ｃの左方に画像データが存在しない領域Ｎが発生する。各区画に生じた領域Ｎには、周囲の区画の画像データを用いて補完的な画像データが埋め込まれることとなる。例えば、オブジェクトＯＲが右方に移動した分、左方の背景画像の続きが見えてくると仮定し、左方の隣接領域の画像データがコピーされてもよい。かくして、図７（ｄ）に示されるように、早見再生速度でのコンテンツデータの再生時において、オブジェクトＯＲを画像中で所定量だけ移動させ、左眼用の画像と右眼用の画像との間の視差量の低減が図られる。したがって、調整部２３８は、標準再生速度でコンテンツデータの再生が行われている間の視差量よりも、早見再生速度でコンテンツデータの再生が行われている間の視差量を低減させることができる。【００６１】
図２、図３及び図７を用いて、更に、画像中のオブジェクトの移動が説明される。【００６２】
コンテンツデータに含まれる左眼用の画像及び右眼用の画像中のオブジェクトＯＬ，ＯＲ間の位置差Ｘ１又はＸ２に基づき、変更部は、表示パネル２１１上にオブジェクトＦが知覚されるときの左眼Ｌと右眼Ｒとの間の基準輻輳角θｒを算出することができる。また、変更部は、オブジェクトＯＬ，ＯＲ間の位置差Ｘ１又はＸ２に基づき、オブジェクトＯＬ，ＯＲ間の位置差がＸ１或いはオブジェクトＯＬ，ＯＲ間の位置差がＸ２であるときの左眼Ｌと右眼Ｒとの間の輻輳角θ１又はθ２を算出することができる。変更部は更に、基準輻輳角θｒと、オブジェクトＯＬ，ＯＲ間の位置差がＸ１或いはオブジェクトＯＬ，ＯＲ間の位置差がＸ２であるときの輻輳角θ１又はθ２との差の絶対値が標準再生速度での再生時よりも早見再生速度での再生時の方が小さくなるようにオブジェクトＯＬ，ＯＲを図７に関連して説明された手法を用いて移動させることができる。【００６３】
図８は、立体的に知覚されるオブジェクトが複数存在するときのオブジェクトの移動を説明する図である。図２、図３、図７及び図８を参照しつつ、オブジェクトの移動が更に説明される。【００６４】
調整部２３８は、第１画像及び第２画像中に表示される複数のオブジェクトのうち特定のオブジェクトに対して、図７に関連して説明された画像処理を実行してもよい。このため、調整部２３８は、特定のオブジェクトを識別するオブジェクト識別部を備えることが好ましい。図８に示されるように、視聴者に立体的に知覚される複数のオブジェクトＦ１乃至Ｆ４が存在するとき、オブジェクト識別部は、左眼用の画像及び右眼用の画像中のオブジェクトＯＬ，ＯＲの位置差Ｘ１又はＸ２に基づいて、視聴者に最も近い位置に存すると知覚される第１オブジェクトと最も遠い位置に存すると知覚される第２オブジェクトとを識別することができる。図８において、第１オブジェクトとして識別されるオブジェクトには符号Ｆ１が付され、第２オブジェクトとして識別されるオブジェクトには符号Ｆ４が付されている。変更部は、視聴者に最も近い位置に存すると知覚されるオブジェクトＦ１及び最も遠い位置に存すると知覚されるオブジェクトＦ４を移動させる対象のオブジェクトとして、図２及び図７に関連して説明された手法を用いて、これらを画像中で移動させることができる。視聴者が知覚する表示パネル２１１からのオブジェクトの飛び出し量及び／又は引き込み量が低減されるので、視聴者の眼への負担が緩和される。【００６５】
図９は、立体的に知覚されるオブジェクトが複数存在するときのオブジェクトの移動の他の手法を説明する図である。図２、図３、図７及び図９を参照しつつ、オブジェクトの移動の他の手法が更に説明される。【００６６】
オブジェクト識別部は、表示パネル２１１から視聴者に知覚されるオブジェクトまでの距離に対して設けられた閾値に基づいて、移動対象となるオブジェクトを選択してもよい。図９には、表示パネル２１１から距離Ｙ３だけ視聴者側に接近した位置に飛び出し側の閾値Ｔ１を表す線が示されている。また、図９には、表示パネル２１１から距離Ｙ４だけ視聴者から離間した位置に引き込み側の閾値Ｔ２を表す線が示されている。【００６７】
図９には、閾値Ｔ１を表す線と閾値Ｔ２を表す線との間の領域で知覚されるオブジェクトＦ１及びＦ２が示されている。また、閾値Ｔ１を表す線よりも視聴者側に近接した位置にオブジェクトＦ３及びＦ４が示されている。更に、閾値Ｔ２を表す線よりも視聴者から離間した位置にオブジェクトＦ５及びＦ６が示されている。【００６８】
オブジェクト識別部は、閾値Ｔ１を表す線よりも視聴者側に近接したオブジェクトＦ３及びＦ４並びに閾値Ｔ２を表す線よりも視聴者から離間したオブジェクトＦ５及びＦ６を移動対象となるオブジェクトとして選択する。変更部は、図２及び図７に関連して説明された手法を用いて、選択されたオブジェクトＦ３、Ｆ４、Ｆ５、Ｆ６の表示位置を変更する。視聴者が知覚する表示パネル２１１からのオブジェクトの飛び出し量及び／又は引き込み量が低減されるので、視聴者の眼への負担が緩和される。【００６９】
図１０は、立体的に知覚されるオブジェクトが複数存在するときのオブジェクトの移動の他の手法を説明する図である。図２、図３、図７及び図１０を参照しつつ、オブジェクトの移動の他の手法が更に説明される。【００７０】
オブジェクト識別部は、表示パネル２１１中のオブジェクトの表示位置に基づいて、異動対象となるオブジェクトを選択してもよい。図１０に示される如く、オブジェクト識別部は、表示パネル２１１中のオブジェクトの表示領域を水平方向に分割された３つの領域（左側領域、中央領域及び右側領域）として識別してもよい。【００７１】
図１０において、左側領域中には、オブジェクトＦ１が表示される。中央領域中には、オブジェクトＦ２及びＦ３が表示される。左側領域中には、オブジェクトＦ４が表示される。【００７２】
オブジェクト識別部は、中央領域に表示されるオブジェクトＦ２及びＦ３を移動対象となるオブジェクトとして選択する。変更部は、図２及び図７に関連して説明された手法を用いて、選択されたオブジェクトＦ２及びＦ３の表示位置を変更する。一般的に、視聴者は、中央領域に表示されるオブジェクトを注視するので、中央領域に表示されるオブジェクトの飛び出し量及び／又は引き込み量が低減されると、視聴者の眼への負担が緩和される。【００７３】
図１１は、立体的に知覚されるオブジェクトが複数存在するときのオブジェクトの移動の他の手法を説明する図である。図２、図３、図７及び図１１を参照しつつ、オブジェクトの移動の他の手法が更に説明される。【００７４】
オブジェクト識別部は、表示パネル２１１中のオブジェクトの表示面積に基づいて、異動対象となるオブジェクトを選択してもよい。図１１には、最も大きく表示されるオブジェクトＦ１と、オブジェクトＦ１の次に大きく表示されるオブジェクトＦ２と、オブジェクトＦ２の次に大きく表示されるオブジェクトＦ３と、最も大きく表示されるオブジェクトＦ４とが示されている。オブジェクト識別部は、オブジェクトの表示面積に対して優先順位を設定し、例えば、２つのオブジェクトを選択してもよい。この場合、オブジェクト識別部は、オブジェクトＦ１及びＦ２を選択する。【００７５】
変更部は、図２及び図７に関連して説明された手法を用いて、選択されたオブジェクトＦ１及びＦ２表示位置を変更する。一般的に、視聴者は、大きく表示されるオブジェクトを注視する。したがって、比較的大きく表示されるオブジェクトの飛び出し量及び／又は引き込み量が低減されると、視聴者の眼への負担が緩和される。【００７６】
図１１に関連して説明されたオブジェクト識別部による優先順位の設定は、図９及び図１０に関連して説明されたオブジェクトの移動手法に適用されてもよい。例えば、図９に関連して説明されたオブジェクトの表示位置の変更は、閾値Ｔ１及びＴ２によって識別されたオブジェクトＦ３乃至Ｆ６のうち、大きく表示される所定数のオブジェクトに対してのみ実行されてもよい。或いは、図９に関連して説明されたオブジェクトの表示位置の変更は、閾値Ｔ１及びＴ２によって識別されたオブジェクトＦ３乃至Ｆ６のうち、中央領域に表示される或いは中央領域に近い位置に表示されるオブジェクトにのみ実行されてもよい。代替的に、オブジェクト識別部は、表示パネル２１１から視聴者に知覚されるオブジェクトまでの距離、オブジェクトの表示位置及び／又はオブジェクトの表示面積に基づいて、所定数のオブジェクトを移動対象のオブジェクトとして選択してもよい。【００７７】
図１２は、早見再生時における音声信号処理部２３９の音声信号処理を説明する図である。図１２（ａ）は、記憶媒体２３３が記憶するコンテンツデータの標準再生速度での音声データ（音声信号）を示す。図１２（ｂ）は、早見再生時において再生部２３６から音声信号処理部２３９へ出力される音声データ（音声信号）を示す。図１２（ｃ）は、音声信号処理部２３９による音声信号処理後の音声データ（音声信号）を示す。図１、図３及び図１２を用いて、音声信号処理部２３９による音声信号処理が説明される。【００７８】
視聴者がリモートコントローラ２５を操作して、早見再生を指示すると、標準再生速度での再生時と同様に、再生部２３６は、記憶媒体２３３が記憶するコンテンツデータの音声データ全てを再生し、音声信号処理部２３９へ出力する。図１２（ａ）に示される音声データと図１２（ｂ）に示される音声データとを比較すると明らかな如く、早見再生速度で再生された音声データは、標準再生速度で再生された音声データと比較して、１秒当たりのデータ量が多くなっている。音声信号処理部２３９は、速度変換処理を行い、音声データの量を標準再生速度での再生時と同等のデータ量に低減し、ディスプレイ装置２１へ出力する。【００７９】
図１２（ａ）に示される如く、音声データは、無音部と、人間の声の子音を表す無声部と、人間の声の母音を表す有声部とに分割される。有声部には、等間隔の周期性（ピッチ周期）が認められ、音声信号処理部２３９は、ピッチ周期Ｐを検出する。【００８０】
図１２（ｂ）に示される如く、早見再生速度で再生され、再生部２３６から音声信号処理部２３９へ出力される音声データは、上述の如く、標準再生速度で再生される音声データと比較して、１秒当たりのデータ量が多くなる。この結果、早見再生速度で再生された音声データのピッチ周期Ｐは、標準再生速度で再生された音声データのピッチ周期Ｐよりも短くなる。したがって、早見再生速度で再生された音声データが速度変換処理を受けることなく出力された場合、視聴者はピッチ周期Ｐが短くなった分だけ音程が高くなった音声を聴くこととなる。また、音声が速すぎ、視聴者は音声データの内容を把握しづらくなる。【００８１】
図１２（ｃ）に示される如く、音声信号処理部２３９は、早見再生速度での再生時の間、早見再生速度に合わせて、無音部を短くするとともに、無声部及び有声部を長くするように音声データを調整する。この結果、音声速度が低減され、視聴者は、音声データの内容を比較的容易に把握することが可能となる。更に、音声信号処理部２３９は、検出されたピッチ周期Ｐの単位で有声部の音声データを間引き、ピッチ周期Ｐの長さを標準再生速度で再生された音声データのピッチ周期と等しく或いは近似させる。更に、音声信号処理部２３９は無声部の音声データを適宜間引く。その後、無声部及び有声部の音声データを、標準再生速度で再生された音声データと等しい或いは近似した波形となるように調整する。この結果、ディスプレイ装置２１から出力された音声は、標準再生速度で再生された音声と等しくなる或いは近似することとなる。【００８２】
図１及び図３を再度用いて、高速再生時における画像再生装置２３の動作が説明される。【００８３】
視聴者がリモートコントローラ２５を操作し、高速再生速度でのコンテンツデータの再生を指示すると、制御部２３５は、バス２４０を介して、再生部２３６、画像信号処理部２３７、調整部２３８、媒体制御部２３４、画像生成部２４１及び音声信号処理部２３９を制御し、記憶媒体２３３からコンテンツデータ（映像データ及び音声データ）を高速再生速度（例えば、標準再生速度の２倍の再生速度）で再生する。画像信号処理部２３７は、映像データ中の画像を間引いて調整部２３８へ画像データ３７１，３７２を出力する。この結果、視差量の時間変化は大きくなる。【００８４】
調整部２３８は、高速再生速度でのコンテンツデータの再生の間、左眼用の画像データ３８１及び右眼用の画像データ３８２のうち一方をディスプレイ装置２１へ出力する。この結果、ディスプレイ装置２１は、左眼用の画像データ３８１及び右眼用の画像データ３８２のうち一方を表示することとなる。代替的に、画像信号処理部２３７が、左眼用の画像データ３７１及び右眼用の画像データ３７２のうち一方を調整部２３８へ出力してもよい。この結果、調整部２３８は、左眼用の画像データ３８１及び右眼用の画像データ３８２のうち一方をディスプレイ装置２１へ出力し、ディスプレイ装置２１は、左眼用の画像データ３８１及び右眼用の画像データ３８２のうち一方を表示することとなる。更に代替的に、調整部２３８は、図５乃至図１１に関連して説明された手法を用いて、左眼用の画像と右眼用の画像との視差量を「０」とするように、左眼用の画像と右眼用の画像とを調整してもよい。【００８５】
高速再生速度でコンテンツデータが再生されると、音声信号処理部２３９はディスプレイ装置２１への音声信号の出力を停止する処理を実行する。或いは、高速再生速度でコンテンツデータが再生されると、再生部２３６は音声データを再生しない。この結果、視聴者は、音声を聴くことなく、表示パネル２１１上に表示される映像を２次元的に知覚する。【００８６】
高速再生時には、上記にて説明した通り、調整部２３８は、左眼用の画像信号及び右眼用の画像信号のうち一方の画像信号を出力し、視差量を「０」にする。したがって、ディスプレイ装置２１及び眼鏡装置３が通常再生時及び早見再生時と同じ動作をするならば、視聴者は２次元の画像を見ることができる。このときは、図３に関連して説明されたモード制御信号２４２は必要ない。一方、モード制御信号２４２が接続されることで、調整部２３８からは視差のある立体画像信号を出力したままで、視聴者には視差の無い画像を提示することが可能である。以下、このような場合について、図１、図３及び図４を再度参照しつつ、ディスプレイ装置２１及び眼鏡装置３の動作が説明される。【００８７】
同期信号生成部２１５は、画像再生装置２３が高速再生を行っていることをモード制御信号２４２経由で受け取り、標準再生時或いは早見再生時と異なる波形の同期信号を生成する。同期信号生成部２１５は、高速再生時において、眼鏡装置３に左眼フィルタ３１と右眼フィルタ３２とを同じタイミングで開閉させる同期信号を生成する。送信部２１３は、この同期信号を眼鏡装置３の受信部３４へ送信する。【００８８】
眼鏡装置３の内部信号生成部３８は、同期信号の波形に基づき、左右同一の画像を視聴するための制御を光学フィルタ制御部３９に実行させるための内部信号を生成する。光学フィルタ制御部３９は、当該内部信号に基づいて、左眼フィルタ３１及び右眼フィルタ３２を、左右同一タイミングで開閉する制御を実行する。例えば、両方が左眼画像に同期したタイミングで開くようにすることで、視聴者は右眼でも左眼でも左眼画像を見ることになる。この結果、視聴者は表示パネル２１１上に表示される映像を２次元的に知覚することとなる。【００８９】
図１３は、制御部２３５による再生制御を説明するフローチャートである。尚、本実施形態において、制御部２３５は、画像再生装置２３に予め記憶された再生制御実行用の画像再生プログラムであってもよい。図１、図３及び図１３を用いて、制御部２３５による再生制御が説明される。【００９０】
（ステップＳ１００）
視聴者が、リモートコントローラ２５を操作し、制御信号を画像再生装置２３へ送信すると、制御部２３５は、制御信号に基づき、高速再生の指示がなされたか否かを判定する。制御部２３５が高速再生の指示がなされたと判定すると、ステップＳ１１０が実行される。制御部２３５が高速再生の指示がなされていないと判定すると、ステップＳ１２０が実行される。【００９１】
（ステップＳ１１０）
制御部２３５が、高速再生の指示がなされたと判定すると、制御部２３５は、バス２４０を介して、再生部２３６、画像信号処理部２３７、調整部２３８、媒体制御部２３４及び画像生成部２４１を制御し、記憶媒体２３３に記憶されたコンテンツデータを高速再生速度で再生する。【００９２】
上述の如く、コンテンツデータが高速再生速度で再生されると、画像信号処理部２３７は、制御部２３５の制御下で、左眼用の画像データ３７１及び右眼用の画像データ３７２それぞれを間引いて、調整部２３８に出力する。調整部２３８は、制御部２３５の制御下で、左眼用の画像データ３８１及び右眼用の画像データ３８２のうち一方の画像データをディスプレイ装置２１に出力する。代替的に、画像信号処理部２３７は、制御部２３５の制御下で、左眼用の画像データ３７１及び右眼用の画像データ３７２のうち一方を調整部２３８に出力してもよい。調整部２３８は、制御部２３５の制御下で、画像信号処理部２３７から出力された左眼用の画像データ３７１及び右眼用の画像データ３７２のうち一方の画像データをディスプレイ装置２１に出力してもよい。この結果、調整部２３８は、左眼用の画像データ３７１及び右眼用の画像データ３７２のうち一方の画像データをディスプレイ装置２１に出力することとなる。調整部２３８からディスプレイ装置２１へ出力される画像データの選択は、予め定められてもよいし、視聴者のリモートコントローラ２５の操作を通じて決定されてもよい。【００９３】
制御部２３５は、更に、再生部２３６を制御し、再生部２３６に音声データの再生を実行させない。代替的に、制御部２３５は、再生部２３６に音声データの再生を実行させる一方で、音声信号処理部２３９に音声データの出力をさせない制御を実行してもよい。この結果、視聴者は、音声を聴くことなく、表示パネル２１１上に表示される映像を２次元的に知覚することとなる。【００９４】
（ステップＳ１２０）
ステップ１００において、制御信号が高速再生を指示していないと判定するとき、ステップ１２０が実行される。ステップ１２０において、制御部２３５は、制御信号が早見再生速度でのコンテンツデータの再生を指示しているか否かを判定する。制御部２３５が、早見再生速度での再生の指示がなされたと判定すると、ステップ１３０が実行される。制御部２３５が、早見再生速度での再生の指示がなされていないと判定すると、ステップ１４０が実行される。【００９５】
（ステップＳ１３０）
早見再生速度での再生の指示がなされたと判定した制御部２３５は、バス２４０を介して、再生部２３６、画像信号処理部２３７、調整部２３８、媒体制御部２３４及び画像生成部２４１を制御し、記憶媒体２３３に記憶されたコンテンツデータ（映像データ及び／又は音声データ）を早見再生速度で再生する。【００９６】
上述の如く、コンテンツデータが早見再生速度で再生されると、画像信号処理部２３７は、制御部２３５の制御下で、左眼用の画像データ３７１及び右眼用の画像データ３７２それぞれを間引いて、調整部２３８に出力する。その後、調整部２３８は、制御部２３５の制御下で、左眼用の画像データ３７１と右眼用の画像データ３７２との間の視差量を検出し、視差量を減少させる。視差量の減少は、図５乃至図１１に関連して説明された手法を用いて実行される。更に、制御部２３５は、調整部２３８に減少された視差量を有するように調整された左眼用の画像データ３８１と右眼用の画像データ３８２とをディスプレイ装置２１に出力させる。制御部２３５は更に、音声信号処理部２３９を制御し、音声信号の調整を行う。音声信号の調整は、図１２に関連して説明された手法を用いて実行される。この結果、視聴者は、音声を聴きつつ、表示パネル２１１上に表示される映像を３次元的に知覚することとなる。このとき、表示パネル２１１に対して視聴者が知覚するオブジェクトの飛び出し量及び／又は引っ込み量は、上述の如く、標準再生速度での再生時に知覚されるオブジェクトの飛び出し量及び／又は引き込み量よりも低減されている。したがって、早見再生速度で再生された映像を視聴する視聴者の眼への負担が軽減されることとなる。【００９７】
（ステップＳ１４０）
ステップＳ１２０において、制御部２３５が、制御信号が早見再生を指示していないと判定するならば、ステップＳ１４０が実行される。ステップＳ１４０において、制御部２３５は、バス２４０を介して、再生部２３６、画像信号処理部２３７、調整部２３８、媒体制御部２３４及び画像生成部２４１を制御し、記憶媒体２３３に記憶されたコンテンツデータ（映像データ及び／又は音声データ）を標準再生速度で再生する。【００９８】
（高速再生モードから標準再生モードへのモード変更）
視聴者がリモートコントローラ２５を操作し、高速再生モードから標準再生モードへモード変更を行うと、画像信号処理部２３７は、制御部２３５の制御下で、記録媒体上の画像信号の各フレームをスキップすることなく、調整部２３８に出力する。調整部２３８は、制御部２３５の制御下で、左眼用の画像データ３８１及び右眼用の画像データ３８２をディスプレイ装置２１に出力する。【００９９】
（高速再生モードから早見再生モードへのモード変更）
視聴者がリモートコントローラ２５を操作し、高速再生モードから早見再生モードへモード変更を行うと、画像信号処理部２３７は、制御部２３５の制御下で、左眼用の画像データ３７１及び右眼用の画像データ３７２それぞれを間引いて、調整部２３８に出力する。その後、調整部２３８は、制御部２３５の制御下で、左眼用の画像データ３７１と右眼用の画像データ３７２との間の視差量を検出し、視差量を減少させる。視差量の減少は、図５乃至図１１に関連して説明された手法を用いて実行される。更に、制御部２３５は、調整部２３８に減少された視差量を有するように調整された左眼用の画像データ３８１と右眼用の画像データ３８２とをディスプレイ装置２１に出力させる。制御部２３５は更に、音声信号処理部２３９を制御し、音声信号の調整を行う。音声信号の調整は、図１２に関連して説明された手法を用いて実行される。この結果、視聴者は、音声を聴きつつ、表示パネル２１１上に表示される映像を３次元的に知覚することとなる。このとき、表示パネル２１１に対して視聴者が知覚するオブジェクトの飛び出し量及び／又は引っ込み量は、上述の如く、標準再生速度での再生時に知覚されるオブジェクトの飛び出し量及び／又は引き込み量よりも低減されている。したがって、早見再生速度で再生された映像を視聴する視聴者の眼への負担が軽減されることとなる。【０１００】
（早見再生モードから標準再生モードへのモード変更）
視聴者がリモートコントローラ２５を操作し、早見再生モードから高速再生モードへモード変更を行うと、画像信号処理部２３７は、制御部２３５の制御下で、記録媒体上の画像信号の各フレームをスキップすることなく、調整部２３８に出力する。調整部２３８は、制御部２３５の制御下で、左眼用の画像データ３８１及び右眼用の画像データ３８２をディスプレイ装置２１に出力する。このとき、調整部２３８は、画像信号処理部２３７から入力された左眼用の画像データ３７１及び右眼用の画像データ３７２に対して、視差量の調整を行わない。したがって、調整部２３８から出力される左眼用の画像データ３８１及び右眼用の画像データ３８２との間には、記憶媒体２３３中のコンテンツデータに従う視差量が存在することとなる。かくして、標準再生モードにおいて、視聴者は、早見再生モードと比べて、大きな飛び出し量及び／又は引き込み量のオブジェクトを知覚することができる。【０１０１】
（第２実施形態）
図１４は、第２実施形態に係る画像再生装置２３Ａの構成を説明する概略的なブロック図である。図１５は、再生部２３６Ａから出力される画像データ３６０を示す。第１実施形態と同様の要素に対して、同様の符号が割り当てられている。図１４及び図１５を用いて、第１実施形態との相違点が説明される。本実施形態において、再生部２３６Ａから調整部２３８Ａへ送られる画像データ３６０が第１実施形態と相違する。以下において説明されない要素に対し、第１実施形態に係る説明が好適に援用される。【０１０２】
第１実施形態に関連して説明された再生部２３６と同様に、再生部２３６Ａは、記憶媒体２３３に記憶されたコンテンツデータの映像データから再生対象となる画像データを読み出す。その後、再生部２３６Ａは、読み出された画像データ３６０を画像信号処理部２３７Ａへ出力する。画像データ３６０は、表示パネル２１１に表示される画像のデータに加えて、左眼用の画像データ３８１と右眼用の画像データ３８２とを生成するための視差量データ「Ｘ」を含む。【０１０３】
第１実施形態に関連して説明された画像信号処理部２３７と同様に、画像信号処理部２３７Ａは、画像データ３６０に対して、記録時に施されているＭＰＥＧ−２やＨ．２６４といった圧縮符号化に対する伸長処理や、表示用の画像調整処理を施与する。これらの処理がなされた画像データ３７０は、調整部２３８Ａに出力される。【０１０４】
図１６は、画像信号処理部２３７Ａから出力される画像データ３７０と、標準再生モードにおいて調整部２３８Ａから出力される左眼用及び右眼用の画像データ３８１，３８２とを示す。図１４及び図１６を用いて、調整部２３８Ａによる画像データ３８１，３８２の生成が説明される。【０１０５】
調整部２３８Ａは、画像信号処理部２３７Ａから出力される画像データ３７０に基づき、左眼用の画像データ３８１と右眼用の画像データ３８２とを生成する。調整部２３８Ａは、標準再生モードにおいて、画像データ３７０が含む視差量データに基づき、画像データ３７０中のオブジェクトＯの表示位置が視差量「Ｘ」だけずらされた画像データ３８１，３８２を生成する。左眼用の画像データ３８１と右眼用の画像データ３８２との間で、オブジェクトがずらされる方向は水平方向に異なる。【０１０６】
図１７は、画像信号処理部２３７Ａから出力される画像データ３７０と、早見再生モードにおいて調整部２３８Ａから出力される左眼用及び右眼用の画像データ３８１，３８２とを示す。図１４、図１６及び図１７を用いて、調整部２３８Ａによる画像データ３８１，３８２の生成が説明される。【０１０７】
調整部２３８Ａは、早見再生モードにおいて、画像データ３７０が含む視差量データが規定する視差量「Ｘ」よりも小さな視差量「Ｘａ」だけ画像データ３７０中のオブジェクトＯの表示位置が水平方向にずらされた画像データ３８１，３８２を生成する。標準再生モードにおけるオブジェクトＯの表示位置のズレ量「Ｘ」に対する早見再生モードにおけるオブジェクトＯの表示位置のズレ量「Ｘａ」の減少率は、標準再生モードにおける再生速度と早見再生モードにおける再生速度との差に応じて、適宜決定される。本実施形態において、画像データ３７０に含まれる視差量データは、視差情報として例示される。早見再生モードにおけるオブジェクトの表示位置の調整に対して、図５乃至図１１に関連して説明された手法が好適に用いられる。【０１０８】
調整部２３８Ａは、早見再生モード時に、低減された視差量「Ｘａ」となるように画像データ３８１，３８２を縮小してもよい。代替的に、視差量データが画像データ３７０中に含まれる複数のオブジェクトそれぞれに割り当てられているならば、調整部２３８Ａは、オブジェクトを個別にずらす調整をしてもよい。更に代替的に、調整部２３８Ａは、オブジェクトそれぞれに対して割り当てられた視差量データに基づき、移動対象となるオブジェクトを選択してもよい。【０１０９】
第２実施形態において、画像データ３７０に含まれる視差量データに基づき、画像データ３７０のオブジェクトＯは、画像データ３８１，３８２において左右にずらされている。代替的に、画像データ３７０に含まれる視差量データは、画像データ３８１，３８２のうち一方に対するシフト量を表してもよい。例えば、画像データ３７０の視差量データが左眼用の画像データ３８１のオブジェクトＯＬのシフト量を表すならば、調整部２３８Ａは、左眼用の画像データ３８１を生成するときに、視差量データに従って、オブジェクトＯＬをシフトさせ、右眼用の画像データ３８２を生成するときに、画像データ３７０に表現されたオブジェクトＯと略等しい位置にオブジェクトＯＲを表現してもよい。【０１１０】
上記の実施形態においては、標準再生モードの２倍以上の速度が高速再生モードとして規定され、高速再生モードにおいて、表示パネル２１１は２次元画像を表示する。代替的に、標準再生速度の２倍の再生速度や４倍の再生速度といった低倍速高速再生においても、図５乃至図１１に関連して説明された手法を用いて、視差量が低減された上で、映像が視聴者に提供されてもよい。また、標準再生速度の４倍を超える再生速度において、上述の如く、２次元的に映像が知覚されるように、視聴者に映像が提供されてもよい。【０１１１】
第１実施形態において、高速再生時においても、再生部２３６は記憶媒体２３３から全ての画像を読み込んでいる。代替的に、高速再生時において、再生部２３６は記憶媒体２３３から左眼用の画像データ及び右眼用の画像データのうちいずれか一方を選択的に読み込んでもよい。【０１１２】
上記の実施形態において、立体映像の視聴を補助する眼鏡装置３として、シャッタ方式の眼鏡装置が採用されている。代替的に、立体映像の視聴を補助する眼鏡装置３として、偏向方式の眼鏡装置が採用されてもよい。【０１１３】
上述の画像再生装置２３は、ＣＰＵ（Central Processing Unit）、システムＬＳＩ（Large Scale Integration）、ＲＡＭ（Random Access Memory）、ＲＯＭ（Read Only Memory）、ＨＤＤ（Hard Disk Drive）、ネットワークインターフェースを備えてもよい。更に、画像再生装置２３は、ＤＶＤ−ＲＡＭ、Ｂｌｕ−ｒａｙディスク、ＳＤ（Secure Digital）メモリカードのような可搬性の記録媒体に対して読み出し、又は、読み書き可能なドライブ装置を備えてもよい。【０１１４】
尚、上記説明における図面に示される構成、配置或いは形状等並びに図面に関連する記載は、上述された実施形態の原理を容易に理解させることを目的とするものであり、上述された実施形態の原理を何ら限定するものではない。上述された実施形態において示されるコンテンツデータは、ブルーレイディスクやＤＶＤディスクといった記憶媒体に格納された映画、ビデオなどの映像データ及び／又は音声データを含む。代替的に、コンテンツデータは、インターネット経由で提供される映像データ及び／又は音声データ、放送電波を用いて提供される映像データ及び／又は音声データや他の手段を用いて提供される映像データ及び／又は音声データであってもよい。上述された実施形態において示される画像再生装置は、ブルーレイディスクやＤＶＤディスクといった記憶媒体を再生するためのブルーレイプレイヤやＤＶＤプレイヤである。代替的に、画像再生装置は、提供されたコンテンツデータを、記憶し或いは記憶することなしに、再生するパーソナルコンピュータや他の画像再生機能を有する任意の装置であってもよい。上述された実施形態において、表示装置として示されるテレビ装置では、コンテンツデータを映像として表示するためのディスプレイ装置と画像再生装置とが別体に設けられている。代替的に、テレビ装置は、一体的に構成されたディスプレイ装置と画像再生装置とを含んでもよい。また、表示装置は、放送波をチューニングする機能を有するテレビ装置の他、モニタを有するコンピュータや画像を表示することが可能な任意の装置であってもよい。【０１１５】
上述された実施形態において、コンテンツデータを格納する記憶媒体によって定められる標準再生速度が第１速度として示される。代替的に、コンテンツデータを最も良好に提供することができる再生速度が第１速度とされてもよい。更に代替的に、画像再生装置が提供可能な再生速度のうち、比較的低い再生速度が第１速度として用いられてもよい。上述された実施形態において、第１速度より速い再生速度であって、視聴者が音声データの内容を把握できる程度の早見再生速度が第２速度として示される。代替的に、コンテンツデータが含む映像データによって表されるオブジェクトを立体的に視聴者が把握できる程度の再生速度が第２速度とされてもよい。上述された実施形態において、早見再生速度は、標準再生速度の１．３倍乃至１．５倍の範囲の再生速度である。代替的に、早見再生速度は、標準再生速度よりも速く且つ標準再生速度の２倍未満の再生速度とされてもよい。上述された実施形態において、視聴者が音声データの内容を把握できる程度の再生速度よりも速い高速再生速度が第３速度として示される。代替的に、第２速度よりも速い任意の再生速度が第３速度として用いられてもよい。上述された実施形態において、高速再生速度は、標準再生速度の２倍の再生速度である。代替的に、標準再生速度の２倍を超える再生速度であってもよく、標準再生速度の２倍を下回る再生速度であってもよい。更に、代替的に、連続的に再生速度が増減されてもよい。この場合、連続的に変化する再生速度の変化帯の任意の速度が第１速度とされ、該第１速度よりも速い任意の速度が第２の速度とされ、該第２速度より速い任意の速度が第３速度とされる。【０１１６】
本実施形態の画像再生装置２３は、ディスプレイ装置２１を伴って、テレビ装置２を構成している。代替的に、画像再生装置２３は、デジタルビデオカメラ、デジタルレコーダ、デジタルテレビ、ゲーム機、ＩＰ電話機や携帯電話機といった任意の画像処理装置に組み込まれてもよい。【０１１７】
本実施形態の画像再生装置２３の制御部２３５及び／又は他の構成要素は、ＨＤＤまたはＲＯＭなどにインストールされた画像再生装置２３を制御するためのプログラム（以下、画像再生プログラムと称される）として実現されてもよい。画像再生プログラムが実行されることによって、画像再生装置２３の各機能が実現されてもよい。【０１１８】
画像再生プログラムは、コンピュータシステムや組み込みシステムといったハードウェアシステムに読み取り可能な記録媒体に記録されてもよい。さらに、画像再生プログラムが、記録媒体を介して他のハードウェアシステムに読み出されて実行されてもよい。これにより、画像再生装置２３の各機能が他のハードウェアシステムを用いて実現されることとなる。ここで、コンピュータシステム読み取り可能な記録媒体として、光学記録媒体（例えば、ＣＤ−ＲＯＭ）、磁気記録媒体（例えば、ハードディスク）、光磁気記録媒体（例えば、ＭＯなど）や半導体メモリ（例えば、メモリカード）が例示される。【０１１９】
画像再生プログラムは、インターネット、ローカルエリアネットワークといったネットワークに接続されたハードウェアシステムに保持されてもよい。さらに、ネットワークを介して他のハードウェアシステムにダウンロードされて実行されてもよい。これによって、画像再生装置２３の各機能を他のハードウェアシステムを用いて実現されることとなる。ここで、ネットワークとして、地上放送網、衛星放送網、ＰＬＣ（Power Line Communication）、移動電話網、有線通信網（例えば、ＩＥＥＥ８０２．３）、無線通信網（例えば、ＩＥＥＥ８０２．１１）が例示される。【０１２０】
本実施形態の画像再生装置２３に実装される画像再生回路によって、画像再生装置２３の各機能が実現されてもよい。【０１２１】
画像再生回路は、フルカスタムＬＳＩ（Large  Scale  Integration）、ＡＳＩＣ（Application  Specific  Integrated  Circuit）といったセミカスタムＬＳＩ、ＦＰＧＡ（Field  Programmable  Gate  Array）やＣＰＬＤ（Complex  Programmable  Logic  Device）といったプログラマブル・ロジック・デバイス、動的に回路構成が書き換え可能なダイナミック・リコンフィギュラブル・デバイスに形成されてもよい。【０１２２】
画像再生装置２３の各機能を画像再生回路に形成する設計データは、ハードウェア記述言語によって記述されたプログラム（以下、ＨＤＬプログラムと称される）であってもよい。代替的に、設計データは、ＨＤＬプログラムを論理合成して得られるゲート・レベルのネットリストであってもよい。また、設計データは、ゲート・レベルのネットリストに、配置情報、プロセス条件等を付加したマクロセル情報であってもよい。設計データは、寸法、タイミング等が規定されたマスクデータとしてもよい。ここで、ハードウェア記述言語として、ＶＨＤＬ（Very high speed integrated circuit Hardware Description Language）、Ｖｅｒｉｌｏｇ−ＨＤＬやＳｙｓｔｅｍＣが例示される。【０１２３】
さらに、設計データは、コンピュータシステム、組み込みシステムなどのようなハードウェアシステムに読み取り可能な記録媒体に記録されてもよい。設計データは、記録媒体を介して他のハードウェアシステムに読み出されて実行されてもよい。これらの記録媒体を介して他のハードウェアタシステムに読み取られた設計データは、ダウンロードケーブルを介して、プログラマブル・ロジック・デバイスにダウンロードされてもよい。【０１２４】
設計データは、インターネット、ローカルエリアネットワークなどのようなネットワークに接続されているハードウェアシステムに保持されてもよい。さらに、設計データは、ネットワークを介して他のハードウェアシステムにダウンロードされて実行されてもよい。これらのネットワークを介して他のハードウェアシステムに取得された設計データは、ダウンロードケーブルを介して、プログラマブル・ロジック・デバイスにダウンロードされてもよい。【０１２５】
代替的に、設計データは、通電時にＦＰＧＡに転送され得るように、シリアルＲＯＭに記録されてもよい。シリアルＲＯＭに記録された設計データは、通電時に、直接、ＦＰＧＡにダウンロードされてもよい。【０１２６】
設計データは、通電時に、マイクロプロセッサによって生成され、ＦＰＧＡにダウンロードされてもよい。【０１２７】
上述された実施形態は、以下の構成を主に備える。【０１２８】
上述の実施形態の一局面に係る画像再生装置は、第１視点用の第１画像と、第２視点用の第２画像とを含む映像データを用いて立体的に映像を知覚させるためのコンテンツデータを再生する再生部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。【０１２９】
上記構成によれば、再生部が再生するコンテンツデータは、第１視点用の第１画像と、第２視点用の第２画像とを含む映像データを用いて立体的に映像を知覚させる。設定部は、コンテンツデータを再生するときの再生速度を設定する。調整部は、設定部により設定された再生速度に応じて第１画像と第２画像との間の視差に関する視差情報を調整する。再生速度に応じて視差情報が調整されるため、視聴者が比較的短時間でコンテンツ内容を把握できるように速い再生速度でコンテンツデータを再生しても、視聴者の眼に対する疲労の増大が抑制される。【０１３０】
上記構成において、前記調整部は、前記コンテンツデータを視聴する視聴者に知覚される前記映像データ中のオブジェクトの飛び出し量又は引き込み量のうち少なくとも一方の知覚量を前記再生速度に応じて変更することが好ましい。【０１３１】
上記構成によれば、調整部は、前記コンテンツデータを視聴する視聴者に知覚される前記映像データ中のオブジェクトの飛び出し量又は引き込み量のうち少なくとも一方の知覚量を前記再生速度に応じて変更する。したがって、視聴者が比較的短時間でコンテンツ内容を把握できるように速い再生速度でコンテンツデータを再生しても、視聴者の眼に対する疲労の増大を抑制することが可能となる。【０１３２】
上記構成において、前記設定部は、前記コンテンツデータを第１速度で再生するための第１モードと、前記コンテンツデータを前記第１速度よりも速い第２速度で再生するための第２モードと、を選択的に設定し、前記調整部は、前記第２モードにおける前記知覚量の変動量が、前記第１モードにおける前記知覚量の変動量よりも小さくなるように前記視差情報を調整することが好ましい。【０１３３】
上記構成によれば、設定部は、コンテンツデータを第１速度で再生するための第１モードと、コンテンツデータを第１速度よりも速い第２速度で再生するための第２モードと、を選択的に設定する。調整部は、第２モードにおける知覚量の変動量が、第１モードにおける知覚量の変動量よりも小さくなるように視差情報を調整する。第２モードにおいて、知覚量の変動量が小さくなり、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。【０１３４】
上記構成において、前記調整部は、前記第１画像及び前記第２画像のうち少なくとも一方をシフトさせることが好ましい。【０１３５】
上記構成によれば、視差情報を調整する調整部は、第１画像及び第２画像のうち少なくとも一方をシフトさせる。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。【０１３６】
上記構成において、前記調整部は、前記第１画像及び前記第２画像を縮小することが好ましい。【０１３７】
上記構成によれば、視差情報を調整する調整部は、第１画像及び第２画像を縮小する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。【０１３８】
上記構成において、前記調整部は、前記第１画像中の前記オブジェクトの表示位置及び前記第２画像中の前記オブジェクトの表示位置のうち少なくとも一方を変更することが好ましい。【０１３９】
上記構成によれば、視差情報を調整する調整部は、第１画像中のオブジェクトの位置及び第２画像中のオブジェクトの位置のうち少なくとも一方を変更する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。【０１４０】
上記構成において、前記オブジェクトは、複数のオブジェクトを含み、前記調整部は、前記コンテンツデータが表示される表示面からの前記オブジェクトの前記飛び出し量、前記表示面からの前記オブジェクトの前記引き込み量、前記表示面中の前記オブジェクトの表示位置及び前記オブジェクトの表示面積のうち少なくともいずれか１つに基づき、前記表示位置が変更されるオブジェクトを選択することが好ましい。【０１４１】
上記構成によれば、第１画像及び第２画像が複数のオブジェクトを表示しているとき、調整部は、表示位置の変更が行われるべきオブジェクトを選択する。オブジェクトの選択は、コンテンツデータが表示される表示面からのオブジェクトの飛び出し量、表示面からのオブジェクトの引き込み量、表示面中のオブジェクトの表示位置及びオブジェクトの表示面積のうち少なくともいずれか１つに基づく。したがって、視聴者の眼に対する負担が効率的且つ効果的に軽減される。【０１４２】
上記構成において、前記調整部は、前記第１画像及び前記第２画像それぞれを複数の区画にセグメント化するセグメント化部と、前記複数の区画のうち前記オブジェクトの表示に寄与している区画を識別する区画識別部と、前記オブジェクトの表示に寄与している区画に含まれる画像データの表示位置を変更する変更部と、を含むことが好ましい。【０１４３】
上記構成によれば、調整部のセグメント化部は、第１画像及び第２画像それぞれを複数の区画にセグメント化する。区画識別部は、オブジェクトの表示に寄与している区画を識別する。変更部は、オブジェクトの表示に寄与している区画に含まれる画像データの表示位置を変更する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。【０１４４】
上記構成において、前記調整部は、前記コンテンツデータが映し出される表示面に対する前記第１視点及び前記第２視点間の基準輻輳角と、前記第１画像及び前記第２画像に含まれる前記オブジェクトに対する前記第１視点及び前記第２視点間の輻輳角との差の絶対値が小さくなるように、前記視差情報を調整することが好ましい。【０１４５】
上記構成によれば、調整部は、コンテンツデータが映し出される表示面に対する第１視点及び前記第２視点間の基準輻輳角と、第１画像及び第２画像に含まれるオブジェクトに対する第１視点及び第２視点間の輻輳角との差の絶対値が小さくなるように、視差情報を調整する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。【０１４６】
上記構成において、前記視差情報は、前記第１画像中のオブジェクトの表示位置と前記第２画像中のオブジェクトの表示位置との差に関する情報を含み、前記調整部は、前記第１画像と前記第２画像との間での前記オブジェクトの前記表示位置の差が小さくなるように、前記視差情報を調整することが好ましい。【０１４７】
上記構成によれば、視差情報は、第１画像中のオブジェクトの表示位置と第２画像中のオブジェクトの表示位置との差に関する情報を含む。調整部は、第１画像と第２画像との間でのオブジェクトの表示位置の差が小さくなるように、視差情報を調整する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。【０１４８】
上記構成において、前記設定部は、前記コンテンツデータを前記第２速度よりも速い第３速度で再生するための第３モードを設定するように形成され、前記調整部は、前記第３モードにおいて、前記第１画像及び前記第２画像のうちいずれか一方の画像を出力することが好ましい。【０１４９】
上記構成によれば、第３モードにおいて、調整部は、第１画像及び第２画像のうちいずれか一方の画像を出力するので、コンテンツデータは、２次元映像として再生される。【０１５０】
上記構成において、画像再生装置は、音声信号処理部を更に備え、前記コンテンツデータは、音声データを含み、前記設定部が、前記コンテンツデータの前記再生速度を前記第１モード又は前記第２モードに設定するとき、前記再生部は、前記音声データを再生し、前記設定部が、前記コンテンツデータの前記再生速度を前記第２モードに設定するとき、前記音声信号処理部は前記第２速度に合わせて、前記音声データを調整し、前記設定部が、前記コンテンツデータの前記再生速度を前記第３モードに設定するとき、前記再生部は前記音声データを再生しないことが好ましい。【０１５１】
上記構成によれば、設定部が、コンテンツデータの再生速度を第１モード又は第２モードに設定するとき、再生部は、音声データを再生する。制御部がコンテンツデータの再生速度を第２モードに設定するとき、音声信号処理部は、第２速度に合わせて、音声データを調整する。制御部が、コンテンツデータの再生速度を第３モードに設定するとき、再生部は音声データを再生しない。したがって、視聴者は第１モード又は第２モードにおいて音声データとともにコンテンツデータを視聴することができる。第３モードにおいて、視聴者は音声を聴くことなく２次元映像を視聴する。【０１５２】
上述の実施形態の他の局面に係る表示装置は、第１視点用の第１画像と、第２視点用の第２画像とを含む映像データを用いて立体的に映像を知覚させるためのコンテンツデータを再生する再生部と、前記映像データを表示する表示部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。【０１５３】
上記構成によれば、再生部が再生するコンテンツデータを表示する表示部は、第１視点用の第１画像と、第２視点用の第２画像とを含む映像データを用いて立体的に映像を知覚させる。設定部は、コンテンツデータを再生するときの再生速度を設定する。調整部は、設定部により設定された再生速度に応じて第１画像と第２画像との間の視差に関する視差情報を調整する。再生速度に応じて視差情報が調整されるため、視聴者が比較的短時間でコンテンツ内容を把握できるように速い再生速度でコンテンツデータを再生しても、視聴者の眼に対する疲労の増大が抑制される。【０１５４】
上記構成において、前記設定部は、前記コンテンツデータを第１速度で再生するための第１モードと、前記コンテンツデータを前記第１速度よりも速い第２速度で再生するための第２モードと、前記コンテンツデータを前記第２速度よりも速い第３速度で再生するための第３モードと、選択的に設定し、前記調整部は、前記第３モードにおいて、前記第１画像及び前記第２画像のうちいずれか一方のみを前記表示部に表示させることが好ましい。【０１５５】
上記構成によれば、第３速度でコンテンツデータが再生されるとき、視聴者は２次元的にコンテンツデータを知覚することができる。【０１５６】
本発明の更に他の局面に係る第１視点用の第１画像と、第２視点用の第２画像とを含む映像データを用いて立体的に映像を知覚させるためのコンテンツデータを再生する画像再生プログラムは、前記コンテンツデータを第１速度で再生するための第１モード又は前記第１速度よりも速い第２速度で再生するための第２モードとを選択する機能と、前記第２モードにおける前記コンテンツデータを視聴する視聴者に知覚される前記映像データ中のオブジェクトの飛び出し量又は引き込み量のうち少なくとも一方の知覚量の変動量が、前記第１モードにおける前記変動量よりも小さくする機能と、を前記コンテンツデータを再生する画像再生装置に発揮させることを特徴とする。【０１５７】
上記構成によれば、画像再生プログラムによって再生されるコンテンツデータは、第１視点用の第１画像と、第２視点用の第２画像とを含む映像データを用いて立体的に映像を知覚される。画像再生プログラムは、コンテンツデータを第１速度で再生するための第１モード又は前記第１速度よりも速い第２速度で再生するための第２モードの選択を可能にする。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【産業上の利用可能性】
【０１５８】
上述の実施形態に係る原理は、記録媒体に記録した３次元画像及び音声を再生する画像再生装置として利用可能である。上述の原理は、特に、半導体メモリや光ディスクといった記録媒体から３次元画像を再生するビデオプレーヤとして、好適に利用可能である。上述の原理に従うビデオプレーヤは、早見再生（例えば、１．３倍速）や低倍速の高速再生の際に、視差量の時間変化を抑え、眼精疲労を抑制することができる。
【図１】
2011080878.tif 000003
【図２】
2011080878.tif 000004
【図３】
2011080878.tif 000005
【図４】
2011080878.tif 000006
【図５】
2011080878.tif 000007
【図６】
2011080878.tif 000008
【図７】
2011080878.tif 000009
【図８】
2011080878.tif 000010
【図９】
2011080878.tif 000011
【図１０】
2011080878.tif 000012
【図１１】
2011080878.tif 000013
【図１２】
2011080878.tif 000014
【図１３】
2011080878.tif 000015
【図１４】
2011080878.tif 000016
【図１５】
2011080878.tif 000017
【図１６】
2011080878.tif 000018
【図１７】
2011080878.tif 000019
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
第１視点用の第１画像と、第２視点用の第２画像とを含む映像データを用いて立体的に映像を知覚させるためのコンテンツデータを再生する再生部と、
前記コンテンツデータを再生するときの再生速度を設定する設定部と、
該設定部により設定された前記再生速度に応じて、前記第１画像と前記第２画像との間の視差に関する視差情報を調整する調整部と、を備えることを特徴とする画像再生装置。
【請求項２】
前記調整部は、前記コンテンツデータを視聴する視聴者に知覚される前記映像データ中のオブジェクトの飛び出し量又は引き込み量のうち少なくとも一方の知覚量を前記再生速度に応じて変更することを特徴とする請求項１に記載の画像再生装置。
【請求項３】
前記設定部は、前記コンテンツデータを第１速度で再生するための第１モードと、前記コンテンツデータを前記第１速度よりも速い第２速度で再生するための第２モードと、を選択的に設定し、
前記調整部は、前記第２モードにおける前記知覚量の変動量が、前記第１モードにおける前記知覚量の変動量よりも小さくなるように前記視差情報を調整することを特徴とする請求項２に記載の画像再生装置。
【請求項４】
前記調整部は、前記第１画像及び前記第２画像のうち少なくとも一方をシフトさせることを特徴とする請求項３に記載の画像再生装置。
【請求項５】
前記調整部は、前記第１画像及び前記第２画像を縮小することを特徴とする請求項３に記載の画像再生装置。
【請求項６】
前記調整部は、前記第１画像中の前記オブジェクトの表示位置及び前記第２画像中の前記オブジェクトの表示位置のうち少なくとも一方を変更することを特徴とする請求項３に記載の画像再生装置。
【請求項７】
前記オブジェクトは、複数のオブジェクトを含み、
前記調整部は、前記コンテンツデータが表示される表示面からの前記オブジェクトの前記飛び出し量、前記表示面からの前記オブジェクトの前記引き込み量、前記表示面中の前記オブジェクトの表示位置及び前記オブジェクトの表示面積のうち少なくともいずれか１つに基づき、前記表示位置が変更されるオブジェクトを選択することを特徴とする請求項６に記載の画像再生装置
【請求項８】
前記調整部は、前記第１画像及び前記第２画像それぞれを複数の区画にセグメント化するセグメント化部と、
前記複数の区画のうち前記オブジェクトの表示に寄与している区画を識別する区画識別部と、
前記オブジェクトの表示に寄与している区画に含まれる画像データの表示位置を変更する変更部と、を含むことを特徴とする請求項６又は７に記載の画像再生装置。
【請求項９】
前記調整部は、前記コンテンツデータが映し出される表示面に対する前記第１視点及び前記第２視点間の基準輻輳角と、前記第１画像及び前記第２画像に含まれる前記オブジェクトに対する前記第１視点及び前記第２視点間の輻輳角との差の絶対値が小さくなるように、前記視差情報を調整することを特徴とする請求項３乃至８いずれか１項に記載の画像再生装置。
【請求項１０】
前記視差情報は、前記第１画像中のオブジェクトの表示位置と前記第２画像中のオブジェクトの表示位置との差に関する情報を含み、
前記調整部は、前記第１画像と前記第２画像との間での前記オブジェクトの前記表示位置の差が小さくなるように、前記視差情報を調整することを特徴とする請求項３乃至９いずれか１項に記載の画像再生装置。
【請求項１１】
前記設定部は、前記コンテンツデータを前記第２速度よりも速い第３速度で再生するための第３モードを設定するように形成され、
前記調整部は、前記第３モードにおいて、前記第１画像及び前記第２画像のうちいずれか一方の画像を出力することを特徴とする請求項３乃至１０いずれか１項に記載の画像再生装置。
【請求項１２】
第１視点用の第１画像と、第２視点用の第２画像とを含む映像データを用いて立体的に映像を知覚させるためのコンテンツデータを再生する再生部と、
前記映像データを表示する表示部と、
前記コンテンツデータを再生するときの再生速度を設定する設定部と、
該設定部により設定された前記再生速度に応じて、前記第１画像と前記第２画像との間の視差に関する視差情報を調整する調整部と、を備えることを特徴とする表示装置。
【請求項１３】
前記設定部は、前記コンテンツデータを第１速度で再生するための第１モードと、前記コンテンツデータを前記第１速度よりも速い第２速度で再生するための第２モードと、前記コンテンツデータを前記第２速度よりも速い第３速度で再生するための第３モードと、選択的に設定し、
前記調整部は、前記第３モードにおいて、前記第１画像及び前記第２画像のうちいずれか一方のみを前記表示部に表示させることを特徴とする請求項１２記載の表示装置。
【手続補正２】
【補正対象書類名】明細書
【補正対象項目名】全文
【補正方法】変更
【補正の内容】
【発明の詳細な説明】
【技術分野】
【０００１】
本発明は、立体画像を視聴者に視聴させるためのコンテンツデータを再生する画像再生装置及び表示装置に関する。
【背景技術】
【０００２】
近年の映像技術の進歩に伴い、立体的な映像を視聴者に提供するための技術の提案がなされている。一般的に、視聴者に立体的な映像を視聴させるためのコンテンツデータは、左眼で視聴されるための左眼用の画像と右眼で視聴されるための右眼用の画像とを含む。左眼用の画像は、例えば、視聴者の左眼を視点として拡がる視界に写る像を表現し、右眼用の画像は、視聴者の右眼を視点として拡がる視界に写る像を表現する。
【０００３】
コンテンツデータが再生されると、これら画像は、例えば、ディスプレイ上に交互に表示される。この間、視聴者は、立体画像を視聴するための専用の眼鏡装置を着用し、ディスプレイ上の画像を視聴する。左眼用の画像がディスプレイに表示されている間、眼鏡装置は右眼への光の透過を遮断するとともに左眼への光の透過を許容する。右眼用の画像がディスプレイに表示されている間、眼鏡装置は左眼への光の透過を遮断するとともに右眼への光の透過を許容する。視聴者は、右眼と左眼の網膜に映った像の違い（視差）を脳内で処理して奥行き・飛び出しを知覚する。視差の量が少なければ、像はディスプレイ面に近い位置にあるものと知覚され、視差量が多ければ、像はディスプレイ面から離れた位置にあるものと知覚される。かくして、視聴者は、ディスプレイに映し出された画像中のオブジェクトを立体的に知覚することが可能となる。
【０００４】
立体的な映像を視聴させるためのコンテンツデータの再生においても、通常の２次元映像を視聴させるためのコンテンツデータの再生と同様に、高速再生のニーズが存在する。通常再生で見るための再生箇所を検索する目的で行われる高速再生においては、コンテンツデータが記憶される記憶媒体によって定められる標準再生速度より速い速度で、音声を除いた映像のみのコンテンツデータの再生が行われる。このような高速再生モードにおいて立体画像をそのまま表示してしまうと、視差量の変動が非常に速くなるため、視聴者が立体的にコンテンツデータ中のオブジェクトを知覚することは困難になる。この結果、特にコンテンツデータが動画である場合に、コンテンツ中のオブジェクトの動きを視聴者が知覚しづらいという問題が生ずる。
【０００５】
特許文献１は、このような不具合を解消するために、高速再生モード中、２次元画像として、映像を表示する技術を提案する。特許文献１の開示技術によれば、高速再生モードの間、２次元映像としてコンテンツデータが再生されるので、視聴者はコンテンツデータ中のオブジェクトの動きを比較的容易に把握可能である。
【０００６】
ＤＶＤプレイヤやブルーレイプレイヤといった画像再生装置に対するニーズとして、上述の標準再生及び高速再生でのコンテンツデータの再生の他、早見再生でのコンテンツデータの再生を挙げられる。通常再生で見るための箇所を検索する目的ではなく、コンテンツの内容を視聴者が楽しむために用いられる早見再生モードでは、コンテンツデータは、標準再生速度より速い速度で再生されるが、一般に高速再生速度と比べて遅めの速度で再生されるとともに、映像とあわせて音声も再生される。視聴者は、早見再生モードにおいては、高速再生では再生されなかったコンテンツデータに含まれる音声を聞きながら、標準再生速度よりも短時間でコンテンツの内容を把握することができる。例えば、既存の画像再生装置において、コンテンツデータの標準再生速度に対して、１．３倍や１．５倍で再生するモードが早見再生モードとして組み込まれている。
【０００７】
上述の特許文献１の技術では、視聴者が早見再生モードでコンテンツデータを再生しようとするとき、表示される映像は２次元映像となり、コンテンツデータが有する内容が視聴者に十分に提供されないこととなる。代替的に、コンテンツデータが有する内容のまま３次元映像としてコンテンツデータが再生された場合には、ディスプレイに表示される左眼用の画像フレームと右眼用の画像フレームとの間の視差量の時間変動が大きすぎ、視聴者に眼精疲労を生じさせる可能性がある。
【先行技術文献】
【特許文献】
【０００８】
【特許文献１】特開２００５−１１０１２１号公報
【発明の概要】
【発明が解決しようとする課題】
【０００９】
本発明は、コンテンツデータ中のオブジェクトを立体的に視聴者に知覚させつつ、視聴者が比較的短時間でコンテンツ内容を把握できるとともに視聴者の眼に対する疲労を抑制することが可能な画像再生装置及び表示装置を提供することを目的とする。
【課題を解決するための手段】
【００１０】
本発明の一の局面に係る画像再生装置は、第１視点用の第１画像と、第２視点用の第２画像とを含む映像データを用いて立体的に映像を知覚させるためのコンテンツデータを再生する再生部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。
【００１１】
本発明の他の局面に係る表示装置は、第１視点用の第１画像と、第２視点用の第２画像とを含む映像データを用いて立体的に映像を知覚させるためのコンテンツデータを再生する再生部と、前記映像データを表示する表示部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。
【図面の簡単な説明】
【００１２】
【図１】第１実施形態に係る画像再生装置を含むテレビ装置が組み込まれた映像システムの概略構成図である。
【図２】異なる視点から撮像された画像間の視差量を概略的に説明する図である。
【図３】図１に示される画像再生装置の構成を概略的に示すブロック図である。
【図４】図１に示される眼鏡装置の構成を概略的に示すブロック図である。
【図５】図３に示される画像再生装置の調整部による画像調整の一例を概略的に示す図である。
【図６】図３に示される画像再生装置の調整部による画像調整の一例を概略的に示す図である。
【図７】図３に示される画像再生装置の調整部による画像調整の一例を概略的に示す図である。
【図８】図３に示される画像再生装置の調整部による画像調整の一例を概略的に示す図である。
【図９】図３に示される画像再生装置の調整部による画像調整の一例を概略的に示す図である。
【図１０】図３に示される画像再生装置の調整部による画像調整の一例を概略的に示す図である。
【図１１】図３に示される画像再生装置の調整部による画像調整の一例を概略的に示す図である。
【図１２】図３に示される画像再生装置の音声信号処理部による音声データ調整の一例を概略的に示す図である。
【図１３】図３に示される画像再生装置の制御を概略的に示すフローチャートである。
【図１４】第２実施形態に係る画像再生装置の構成を概略的に示すブロック図である。
【図１５】第２実施形態に係る画像再生装置に用いられる画像データを示す図である。
【図１６】第２実施形態に係る画像再生装置の調整部による画像調整の一例を概略的に示す図である。
【図１７】第２実施形態に係る画像再生装置の調整部による画像調整の一例を概略的に示す図である。
【発明を実施するための形態】
【００１３】
（第１実施形態）
以下、第１実施形態に係る映像システムが図面を用いて説明される。図１は、第１実施形態に係る画像再生装置を含むテレビ装置を備える映像システムを概略的に示す。尚、図１の映像システムは、単に、例示的なものにすぎず、映像の表示手法や映像の視聴を補助するための手法に対して、他の３次元立体映像を視聴するために適切な任意の技術が適用されてもよい。
【００１４】
映像システム１は、表示装置として例示されるテレビ装置２と、テレビ装置２が表示する映像の視聴を補助するための眼鏡装置３を含む。テレビ装置２は、映像を表示するためのディスプレイ装置２１と、ディスプレイ装置２１に立体映像信号を出力する画像再生装置２３と、画像再生装置２３及び／又はディスプレイ装置２１を操作するためのリモートコントローラ２５とを含む。リモートコントローラ２５は、視聴者が、画像再生装置２３及び／又はディスプレイ装置２１に対する所望の指示を入力するための複数のボタン２５１と、視聴者が入力した指示を制御信号として、画像再生装置２３及び／又はディスプレイ装置２１に送信する送信部２５２とを含む。制御信号は、例えば、赤外線信号として送信されてもよいし、ＲＦ信号として送信されてもよいし、視聴者が所望する指示を画像再生装置２３及び／又はディスプレイ装置２１に伝達することが可能な他の手法によって送信されてもよい。本実施形態において、視聴者は、リモートコントローラ２５を操作し、画像再生装置２３の再生速度を制御することができる。
【００１５】
画像再生装置２３は、ＤＶＤディスクやブルーレイディスクといった記憶媒体（図１に示されず）を格納するための格納部２３１と、リモートコントローラ２５からの制御信号を受信する受信部２３２とを含む。記憶媒体には、視聴者に提供（視聴）されるコンテンツデータが記憶されている。コンテンツデータは、映像データ及び／又は音声データを含む。画像再生装置２３は、後述されるように、リモートコントローラ２５からの制御信号に基づき、コンテンツデータを再生し、立体映像信号及び音声信号をディスプレイ装置２１へ出力する。映像データは、左眼の視界中のオブジェクトを撮像して得られた左眼用の画像と、右眼の視界中のオブジェクトを撮像して得られた右眼用の画像とを含む。本実施形態では、視聴者の左眼は第１視点として例示される。また、視聴者の右眼は第２視点として例示される。代替的に、視聴者の右眼が第１視点であってもよく、視聴者の左眼が第２視点であってもよい。本実施形態において、左眼で視聴されるように作成された画像は、第１画像として例示される。また、右眼で視聴されるように作成された画像は、第２画像として例示される。代替的に、右眼で視聴されるように作成された画像が第１画像として用いられてもよく、左眼で視聴されるように作成された画像が第２画像として用いられてもよい。本実施形態では、左眼用の画像が左眼によって視聴され、右眼用の画像が右眼によって知覚されると、左眼用の画像及び右眼用の画像に表されたオブジェクトが視聴者に立体的に知覚される。
【００１６】
ディスプレイ装置２１は、立体映像信号を立体映像として表示する表示部として用いられる表示パネル２１１と、音声信号を音声として出力する音声出力部として用いられるスピーカ２１２と、表示パネル２１１に表示される映像のフレームに眼鏡装置３の動作を同期させるための同期信号を出力するための送信部２１３とを含む。表示パネル２１１は、例えば、右眼用の画像のフレームと左眼用の画像のフレームとを交互に表示する。スピーカ２１２は、表示パネル２１１に表示される映像に対応する音声を出力する。送信部２１３は、例えば、右眼用の画像のフレームと左眼用の画像のフレームとの間の切り換えに同期して、同期信号を出力する。表示パネル２１１として、例えば、プラズマディスプレイパネル、液晶パネル、ＣＲＴを用いた装置、有機エレクトロルミネッセンスを用いた装置や映像を立体映像信号に基づき、映像を視聴者に視認させることができる他の装置が用いられる。同期信号は、赤外線として送信されてもよいし、ＲＦ信号として送信されてもよいし、同期信号を眼鏡装置３へ伝達することが可能な他の任意の手法によって送信されてもよい。
【００１７】
眼鏡装置３は、視力矯正用の眼鏡と同様の形状をなす。眼鏡装置３は、眼鏡装置３を装着した視聴者の左眼前に配設される左眼フィルタ３１と視聴者の右眼前に配設される右眼フィルタ３２とを含む光学フィルタ部３３と、左眼フィルタ３１と右眼フィルタ３２との間に配設される受信部３４とを含む。左眼フィルタ３１及び右眼フィルタ３２は、光学的に左眼及び右眼へ透過する光量を光学的に調整することが可能である。左眼フィルタ３１及び右眼フィルタ３２は、例えば、左眼及び右眼へ透過する光の光路を遮断することによって、光量の調節を行ってもよいし、左眼及び右眼へ透過する光を偏向させることによって、光量の調節を行ってもよい。このような左眼フィルタ３１及び右眼フィルタ３２に液晶素子が好適に用いられる。
【００１８】
受信部３４は、ディスプレイ装置２１から送信された同期信号を受信する。眼鏡装置３は、同期信号に基づき、光学フィルタ部３３を制御する。同期信号に基づく制御の結果、表示パネル２１１に左眼用の画像のフレームが表示されている間、左眼フィルタ３１を通じて視聴者の左眼に画像フレームからの光が透過される一方で、右眼フィルタ３２は視聴者の右眼へ到達する光の量を低減させる。また、表示パネル２１１に右眼用の画像のフレームが表示されている間、右眼フィルタ３２を通じて視聴者の右眼に画像のフレームからの光が透過される一方で、左眼フィルタ３１は視聴者の左眼へ到達する光の量を低減させる。この結果、視聴者は、左眼で左眼用の画像のフレームを視聴し、右眼で右眼用の画像のフレームを視聴することとなり、映像データに含まれる左眼用の画像のオブジェクト及び右眼用の画像のオブジェクトが立体的に知覚されることとなる。立体的に知覚されるオブジェクトは、表示パネルから視聴者側に飛び出るように或いは表示パネルに対して奥方に引っ込んだように視聴者に知覚されることとなる。
【００１９】
図２は、３次元画像の一例を示す。図１及び図２を用いて、コンテンツデータに含まれる映像データの左眼用の画像及び右眼用の画像との間の視差量と、視聴者によって立体的に知覚される映像との関係が説明される。図２（ａ）は、左眼用の画像と右眼用の画像との間の視差量が「０」のときの左眼用の画像及び右眼用の画像と、視聴者に視聴及び／又は知覚される映像とを示す。図２（ｂ）は、左眼用の画像と右眼用の画像との間の視差量が「正の値」のときの左眼用の画像及び右眼用の画像と、視聴者に視聴及び／又は知覚される映像とを示す。図２（ｃ）は、左眼用の画像と右眼用の画像との間の視差量が「負の値」のときの左眼用の画像及び右眼用の画像と、視聴者に視聴及び／又は知覚される映像とを示す。尚、上述の視差量の「正」「負」に関する定義は、説明の明瞭化のためであり、本実施形態の原理を何ら限定するものではない。したがって、図２（ｂ）に示される左眼用の画像及び右眼用の画像の関係が「負の値」として定義され、図２（ｃ）に示される左眼用の画像及び右眼用の画像の関係が「正の値」として定義されてもよい。
【００２０】
図２の上段に示される図は、表示パネル２１１上のオブジェクト位置と、表示パネル２１１に対する視聴者に知覚されるオブジェクトの位置を示す。図２の中段に示される図は、表示パネル２１１に表示される右眼用の画像を示す。図２の下段に示される図は、表示パネル２１１に表示される左眼用の画像を示す。
【００２１】
図２に示される左眼用の画像及び右眼用の画像中には、樹木がオブジェクトとして示されている。尚、本実施形態の説明に用いられる「オブジェクト」との用語は、視聴者に知覚される画像中の物体の像を意味する。左眼用の画像中に表されるオブジェクトには、符号ＯＬが付され、右眼用の画像中に表されるオブジェクトには、符号ＯＲが付されている。また、図２に示される符号Ｒは、視聴者の右眼を示し、符号Ｌは視聴者の左眼を示す。図２に示される符号Ｆは、視聴者に立体的に知覚されるオブジェクトを示す。
【００２２】
図２（ａ）に示される如く、左眼用の画像中のオブジェクトＯＬと右眼用の画像中のオブジェクトＯＲとが、表示パネル２１１中で等しい位置で映し出されるとき（即ち、視差量が「０」であるとき）、オブジェクトＦは表示パネル２１１上に位置していると視聴者に知覚される。
【００２３】
図２（ｂ）に示されるように、左眼用の画像中のオブジェクトＯＬが表示パネル２１１の右側領域に位置し、右眼用の画像中のオブジェクトＯＲが表示パネル２１１の左側領域に位置し、これらオブジェクトＯＬ，ＯＲの位置の差が「Ｘ１」であるとき（Ｘ１は正の値）、左眼Ｌと右眼Ｒとの間の輻輳点（オブジェクトＯＬに対する左眼Ｌからの視線と、オブジェクトＯＲに対する右眼Ｒからの視線との交点）は、表示パネル２１１よりも視聴者に近い位置となる。オブジェクトＦは、表示パネル２１１から視聴者寄りの輻輳点上に存在するように視聴者に知覚される。図２（ｂ）に示されるオブジェクトＦと表示パネル２１１との間の距離Ｙ１は、オブジェクトＦの飛び出し量として例示される。
【００２４】
図２（ｃ）に示されるように、左眼用の画像中のオブジェクトＯＬが表示パネル２１１の左側領域に位置し、右眼用の画像中のオブジェクトＯＲが表示パネル２１１の右側領域に位置し、これらオブジェクトＯＬ，ＯＲの位置の差が「Ｘ２」であるとき（Ｘ２は負の値）、左眼Ｌと右眼Ｒとの間の輻輳点は、表示パネル２１１よりも視聴者に遠い位置となる。オブジェクトＦは、表示パネル２１１よりも視聴者から離間した輻輳点上に存在するように視聴者に知覚される。図２（Ｃ）に示されるオブジェクトＦと表示パネル２１１との間の距離Ｙ２は、オブジェクトＦの引き込み量として例示される。
【００２５】
図２に示される如く、オブジェクトＯＬ，ＯＲの位置の差の絶対値が大きくなるにつれて、表示パネル２１１からオブジェクトＦまでの距離は増大し、オブジェクトＯＬ，ＯＲの位置の差の絶対値が小さくなるにつれて、表示パネル２１１からオブジェクトＦまでの距離（飛び出し量Ｙ１又は引き込み量Ｙ２）は減少する。
【００２６】
本実施形態において、オブジェクトＯＬ，ＯＲの位置の差Ｘ１，Ｘ２（即ち、視差量）が視差に関する視差情報として例示される。代替的に、表示パネル２１１或いはオブジェクトＯＬ，ＯＲを表示するための表示面から視聴者が知覚するオブジェクトＦまで距離を増減させるための他のパラメータが視差情報として用いられてもよい。本実施形態において用いられる「視差量を大きくする」との用語は、オブジェクトＯＬ，ＯＲの位置の差を増大させ、表示面からオブジェクトＦまでの距離（飛び出し量Ｙ１又は引き込み量Ｙ２）を大きくすることを意味する。代替的に、表示面からオブジェクトＦまでの距離（飛び出し量Ｙ１又は引き込み量Ｙ２）を大きくするために、視差量以外のパラメータ（視差情報）が調整されてもよい。本実施形態において用いられる「視差量を小さくする」との用語は、オブジェクトＯＬ，ＯＲの位置の差を低減させ、表示面からオブジェクトＦまでの距離（飛び出し量Ｙ１又は引き込み量Ｙ２）を小さくすることを意味する。代替的に、表示面からオブジェクトＦまでの距離（飛び出し量Ｙ１又は引き込み量Ｙ２）を小さくするために、視差量以外のパラメータ（視差情報）が調整されてもよい。視差量以外のパラメータの調整として、例えば、映像信号処理を通じて、オブジェクトに影を付けること、オブジェクト自体の輝度を変更することやオブジェクトの色を変更することが例示される。このような様々な手法を用いて、視聴者に知覚される距離感が調整されてもよい。
【００２７】
表示パネル２１１からオブジェクトＦまでの距離の増大は、視聴者の眼に対する負担を大きくすることが経験的に知られている。また、図２（ｂ）に示されるオブジェクトＦの位置から図２（ｃ）に示されるオブジェクトＦの位置までオブジェクトＦの位置を変動させるように左眼用の画像のフレーム及び右眼用の画像のフレームを表示パネル２１１に表示するとき、オブジェクトＦの位置の変動速度の増大は、視聴者の眼に対する負担を大きくすることが経験的に知られている。
【００２８】
本実施形態において、ディスプレイ装置２１は、左眼用の画像のフレームと右眼用の画像のフレームとを、例えば、１２０Ｈｚのフレームレート（左眼用の画像のフレーム及び右眼用の画像のフレームを合計して、１秒間当たり１２０枚のフレームが表示される）で表示する。標準再生速度は、記録媒体上の画像信号の各フレームがスキップ／ホールドすることなく出力並びに表示される再生速度として規定される。本実施形態において、標準再生速度は、第１速度として例示される。画像再生装置２３による標準再生速度でのコンテンツデータの再生は、第１モードとして例示される。
【００２９】
本実施形態において、早見再生速度は、標準再生速度の１．３倍の再生速度として規定される。代替的に、早見再生速度は、標準再生速度よりも速く、且つ、視聴者がコンテンツデータの内容を把握することができる他の再生速度として規定されてもよい。本実施形態において、早見再生モードにおいて、１．３枚につき１枚の割合で再生フレームがスキップされる。媒体上の各フレームが通常速度（１秒当たり１２０枚）の１．３倍の速度で再生されると、１秒当たり１５６枚の再生フレームが得られるが、早見再生モードにおいて、１．３枚につき１枚の割合でフレームがスキップされるので、各再生フレームの表示時間は、通常再生と略等しくなる。かくして、ディスプレイ装置２１への出力は１秒間当たり１２０枚のフレームとなる。本実施形態において、早見再生速度は、第２速度として例示される。画像再生装置２３による早見再生速度でのコンテンツデータの再生は、第２モードとして例示される。
【００３０】
本実施形態において、高速再生速度は、標準再生速度の２倍の再生速度として規定される。代替的に、高速再生速度は、早見再生速度よりも速い他の再生速度として規定されてもよい。本実施形態において、高速再生モードにおいて、２枚につき１枚の割合で再生フレームがスキップされる。この結果、ディスプレイ装置２１への出力は１秒間当たり１２０枚のフレームとなる。画像再生装置２３による高速再生速度でのコンテンツデータの再生は、第３モードとして例示される。
【００３１】
本実施形態において、標準再生速度から早見再生速度又は高速再生速度への増速は、再生フレームをスキップすることにより達成される。代替的に、標準再生速度から早見再生速度又は高速再生速度への増速は、再生フレームそれぞれの表示時間の短縮によって達成されてもよい。
【００３２】
図２に関連して説明された如く、標準再生速度よりも速い早見再生速度での立体映像の視聴は、標準再生速度での立体映像の視聴と比較して、視聴者が知覚するオブジェクトＦの位置が高速に変動するため、視聴者の眼に対する負担が大きくなる。
【００３３】
図３は、図１に示されるディスプレイ装置２１及び画像再生装置２３の構成を説明する概略的なブロック図である。図１乃至図３を用いて、画像再生装置２３が説明される。
【００３４】
画像再生装置２３の格納部２３１には、映画や音楽ビデオといったコンテンツデータが格納された記憶媒体２３３（例えば、ブルーレイディスクやＤＶＤディスク）が収容される。画像再生装置２３は、記憶媒体２３３を制御するための媒体制御部２３４を含む。媒体制御部２３４は、記憶媒体２３３を駆動するドライブ装置（図示せず）や再生アドレス設定手順といった再生プロトコルを制御する。
【００３５】
受信部２３２は、図１に関連して説明された如く、リモートコントローラ２５からの制御信号を受信する。画像再生装置２３は、制御部２３５を含む。制御部２３５は、画像再生装置２３全体の制御を司る。受信部２３２は、視聴者が入力した操作情報を含む制御信号を制御部２３５へ出力する。
【００３６】
画像再生装置２３は、記憶媒体２３３に記憶されたコンテンツデータを再生する再生部２３６、コンテンツデータが含む映像データに基づいて生成された画像信号を処理する画像信号処理部２３７、画像信号処理部２３７によって処理された画像信号に基づき、左眼用の画像と右眼用の画像との視差量（例えば、図２に関連して説明された視差量Ｘ１，Ｘ２）を調整する調整部２３８、コンテンツデータが含む音声データに基づいて生成された音声信号を処理する音声信号処理部２３９並びに制御部２３５から出力された制御信号を媒体制御部２３４、再生部２３６、画像信号処理部２３７、調整部２３８及び音声信号処理部２３９へ伝達するためのバス２４０を含む。制御部２３５は、受信部２３２からの制御信号に基づき、バス２４０を介して、媒体制御部２３４、再生部２３６、画像信号処理部２３７、調整部２３８及び音声信号処理部２３９それぞれを制御するための制御信号を送信し、これらを制御する。この結果、画像再生装置２３は、画像再生処理を実行することとなる。
【００３７】
制御部２３５は、媒体制御部２３４や再生部２３６を制御し、視聴者によるリモートコントローラ２５の操作に従って、記憶媒体２３３に記憶されたコンテンツデータの再生速度を標準再生速度、標準再生速度より高速の早見再生速度及び早見再生速度よりも高速の高速再生速度に切り換えることができる。本実施形態において、制御部２３５は、コンテンツデータを再生するときの再生速度を設定する設定部として例示される。制御部２３５は、視聴者によるリモートコントローラ２５の操作に従って、標準再生速度での再生モードと、早見再生速度での再生モードと、高速再生速度での再生モードとを選択的に設定する。
【００３８】
本実施形態において、調整部２３８は、制御部２３５によって制御された再生速度（標準再生速度、早見再生速度、高速再生速度）に応じて左眼用の画像と右眼用の画像との間の視差量を調整する。代替的に、調整部２３８は、再生速度（標準再生速度、早見再生速度、高速再生速度）に応じて、視聴者に知覚されるオブジェクトＦの飛び出し量或いは引き込み量を調整ための他のパラメータ（視差情報）を調整してもよい。
【００３９】
画像再生装置２３は更に、記憶媒体２３３に記憶されたコンテンツデータを視聴者が一覧するためのメニュー画像を生成するための画像生成部２４１を含んでもよい。画像生成部２４１は、バス２４０を介して、制御部２３５から制御信号を受け取る。その後、画像生成部２４１は、制御信号に基づいて、メニュー画像を生成する。
【００４０】
再生部２３６は、記憶媒体２３３に記憶されたコンテンツデータの映像データから再生対象となる画像データを読み出す。その後、再生部２３６は、読み出された画像データから左眼用の画像に対応する画像データ３６１及び右眼用の画像に対応する画像データ３６２を画像信号処理部２３７に出力する。再生部２３６は更に、記憶媒体２３３に記憶されたコンテンツデータから再生対象となる音声データを読み出す。その後、再生部２３６は、音声データを音声信号処理部２３９へ出力する。再生部２３６は更に、記憶媒体２３３に記憶されたコンテンツデータから再生対象となる画像データに関連する補助データを読み出す。その後、再生部２３６は、バス２４０経由で補助データを制御部２３５へ出力する。
【００４１】
画像信号処理部２３７は、再生部２３６から出力された左眼用の画像に対応する画像データ３６１及び右眼用の画像に対応する画像データ３６２に対して、必要に応じて、記録時に施されているＭＰＥＧ−２やＨ．２６４といった圧縮符号化に対する伸長処理や、表示用画質調整処理を施与してもよい。これらの処理がなされた左眼用の画像に対応する画像データ３７１及び右眼用の画像に対応する画像データ３７２が調整部２３８へ出力される。
【００４２】
画像生成部２４１が生成したメニュー画像が画像信号処理部２３７に出力されてもよい。画像信号処理部２３７は、メニュー画像をそのまま調整部２３８へ出力してもよい。代替的に、画像信号処理部２３７は、メニュー画像を左眼用の画像に対応する画像データ３７１及び右眼用の画像に対応する画像データ３７２に多重して、調整部２３８へ出力してもよい。
【００４３】
調整部２３８は、制御部２３５の制御下で、画像信号処理部２３７から出力された左眼用の画像に対応する画像データ３７１及び右眼用の画像に対応する画像データ３７２との間の視差量を調整する。視差量の調整がなされた左眼用の画像に対応する画像データ３８１及び右眼用の画像に対応する画像データ３８２は、ディスプレイ装置２１の表示パネル２１１へ出力される。
【００４４】
音声信号処理部２３９は、必要に応じて、再生部２３６から出力された音声データにイコライザ処理といった音声信号処理を施す。その後、音声信号処理部２３９は、音声信号処理後の音声信号３９０をディスプレイ装置２１のスピーカ２１２へ出力する。
【００４５】
ディスプレイ装置２１は、テレビ装置２と眼鏡装置３との間の同期制御のために用いられる同期信号生成部２１５を含む。同期信号生成部２１５は、画像再生装置２３からディスプレイ装置２１に出力された画像信号に基づき眼鏡装置３との同期信号を生成し、送信部２１３に出力する。送信部２１３は、同期信号生成部２１５によって生成された同期信号を眼鏡装置３の受信部３４に向けて出力する。
【００４６】
なお、画像再生装置２３の制御部２３５は、モード制御信号２４２を同期信号生成部２１５に出力してもよい。このモード制御信号２４２は、後ほど説明される高速再生のときの眼鏡の制御方法によって、必要な場合と無くてもよい場合がある。なお、モード制御信号２４２は、例えば、ＨＤＭＩのＣＥＣ規格による機器間制御にしたがって出力可能である。
【００４７】
図４は、図１に示される眼鏡装置３の構成を説明するブロック図である。図１乃至図４を用いて、眼鏡装置３が説明される。
【００４８】
眼鏡装置３は、受信部３４、内部信号生成部３８、光学フィルタ制御部３９及び光学フィルタ部３３を含む。受信部３４は、ディスプレイ装置２１の送信部２１３から送信された同期信号を受信し、電気的なタイミング制御信号に変換して内部信号生成部３８に出力する。
【００４９】
内部信号生成部３８は、タイミング制御信号に基づいて、眼鏡装置３内部の各部を制御するための内部信号を生成する。光学フィルタ制御部３９は、内部信号生成部３８が生成した内部信号に基づいて、光学フィルタ部３３の左眼フィルタ３１，右眼フィルタ３２の動作を制御する。この結果、表示パネル２１１が左眼用の画像に対応する画像データ３８１の映像信号を表示している間、左眼フィルタ３１は視聴者の左眼への光の透過を許容する一方で、右眼フィルタ３２は視聴者の右眼へ透過する光の量を減少させる。逆に、表示パネル２１１が右眼用の画像に対応する画像データ３８２の映像信号を表示している間、右眼フィルタ３２は視聴者の右眼への光の透過を許容する一方で、左眼フィルタ３１は視聴者の右眼へ透過する光の量を減少させる。かくして、視聴者は、図２に関連して説明されたように、画像データ３８１及び画像データ３８２中に表示されるオブジェクトＯＲ，ＯＬを立体的に（オブジェクトＦとして）知覚することとなる。
【００５０】
図１及び図３を再度用いて、早見再生時における画像再生装置２３の動作が説明される。
【００５１】
視聴者がリモートコントローラ２５を操作し、早見再生速度でのコンテンツデータの再生を指示すると、制御部２３５は、バス２４０を介して、再生部２３６、画像信号処理部２３７、調整部２３８、媒体制御部２３４、画像生成部２４１及び音声信号処理部２３９を制御し、記憶媒体２３３からコンテンツデータ（映像データ及び音声データ）を早見再生速度（例えば、標準再生速度の１．３倍の再生速度）で再生する。画像信号処理部２３７は、映像データ中の画像を間引いて調整部２３８へ画像データ３７１，３７２を出力する。この結果、視差量の時間変化は大きくなる。調整部２３８は、視差量の時間変化を小さくすべく、視差量を調整するための処理を実行する。
【００５２】
図５は、調整部２３８による視差量を調整するための処理を説明する図である。図５（ａ）は、記憶媒体２３３に記憶されたコンテンツデータ（映像データ）に含まれる左眼用の画像及び右眼用の画像を示す。図５（ｂ）は、調整部２３８によるシフト量を決定する工程を示す。図５（ｃ）は、調整部２３８によって、視差量の調整がなされた後の左眼用の画像及び右眼用の画像を示す。図５の上段には、左眼用の画像が示されている。図５の下段には右眼用の画像が示されている。図１乃至図３並びに図５を用いて、調整部２３８による視差量を調整するための処理が説明される。
【００５３】
記憶媒体２３３に記憶されたコンテンツデータに含まれる左眼用の画像と右眼用の画像との視差量は、図５（ａ）中、符号「Ｘ３」で示されている。視聴者がリモートコントローラ２５を操作し、標準再生速度を選択したとき、調整部２３８は視差量を維持したまま、ディスプレイ装置２１に映像信号（画像データ３８１，３８２）を出力する。視聴者がリモートコントローラ２５を操作し、早見再生速度を選択したとき、調整部２３８は、図５（ｂ）に示される如く、左眼用の画像の左縁から所定の幅のトリム領域ＴＬ及び右眼用の画像の右縁から所定の幅のトリム領域ＴＲを決定する。その後、調整部２３８は、トリム領域ＴＬ以外の左眼用の画像の領域をトリム領域ＴＬの幅の分だけ右方に移動させる。この結果、トリム領域ＴＬの画像データは消滅する一方で、左眼用の画像の右縁に沿ってトリム領域ＴＬの幅と等しい幅の画像データが存在しない領域ＮＬが生ずる。この画像データが存在しない領域ＮＬには、例えば、灰色で表示されるように補足的な画像データが埋め込まれてもよい。同様に、調整部２３８は、トリム領域ＴＲ以外の右眼用の画像の領域をトリム領域ＴＲの幅の分だけ右方に移動させる。この結果、トリム領域ＴＲの画像データは消滅する一方で、右眼用の画像の左縁に沿ってトリム領域ＴＲの幅と等しい幅の画像データが存在しない領域ＮＲが生ずる。この画像データが存在しない領域ＮＲには、例えば、灰色で表示されるように補足的な画像データが埋め込まれてもよい。かくして、左眼用の画像の中に表されているオブジェクトＯＬと右眼用の画像の中に表されているオブジェクトＯＲとが互いに近づくように、左眼用の画像及び右眼用の画像のシフトがなされる。この結果、左眼用の画像と右眼用の画像との間の視差量（左眼用の画像中のオブジェクトＯＬと右眼用の画像中のオブジェクトＯＲとの間の位置差）が低減する。低減された視差量は、図５（ｃ）において、符号「Ｘ４」で示されている。したがって、調整部２３８は、標準再生速度でコンテンツデータの再生が行われている間の視差量よりも、早見再生速度でコンテンツデータの再生が行われている間の視差量を低減させることができる。
【００５４】
早見再生速度として、画像再生装置２３が複数の再生速度を用意している場合、トリム領域ＴＬ，ＴＲの幅は、再生速度が大きくなるにつれて大きくされることが好ましい。これにより、比較的速い早見再生速度では、視差量がより小さくなるように調整され、比較的遅い早見再生速度では、視差量がより大きくなるように調整されることとなる。トリム領域ＴＬ，ＴＲの幅は、再生速度をパラメータとする所定の演算式を用いて、演算並びに決定されてもよい。代替的に、早見再生速度それぞれに対応するトリム領域ＴＬ，ＴＲの幅を示すルックアップテーブルが用意されてもよい。調整部２３８は、ルックアップテーブル内に用意されたトリム領域ＴＬ，ＴＲから、視聴者によるリモートコントローラ２５の操作によって決定された特定の早見再生速度に対応するトリム領域ＴＬ，ＴＲを選択してもよい。
【００５５】
左眼用の画像に対するトリム領域ＴＬの幅は、左眼用の画像に対するトリム領域ＴＲの幅に等しいことが好ましい。これにより、標準再生速度での再生時において視聴者に立体的に知覚されるオブジェクトの位置と早見再生速度での再生時において視聴者に立体的に知覚されるオブジェクトの位置との間の差が少なくなる。必要に応じて、左眼用の画像及び右眼用の画像のうち一方に対してのみ、図５に関連して説明された画像のシフト処理が実行されてもよい。或いは、必要に応じて、互いに異なるシフト量で、左眼用の画像及び右眼用の画像に対し、シフト処理が実行されてもよい。
【００５６】
図６は、調整部２３８による視差量を調整するための他の処理を説明する図である。図６（ａ）は、記憶媒体２３３に記憶されたコンテンツデータ（映像データ）に含まれる左眼用の画像及び右眼用の画像を示す。図６（ｂ）は、調整部２３８による縮小量を決定する工程を示す。図６（ｃ）は、調整部２３８によって、縮小量の調整がなされた後の左眼用の画像及び右眼用の画像を示す。図６の上段には、左眼用の画像が示され、下段には右眼用の画像が示されている。図１乃至図３並びに図６を用いて、調整部２３８による視差量を調整するための処理が説明される。
【００５７】
記憶媒体２３３に記憶されたコンテンツデータに含まれる左眼用の画像と右眼用の画像との視差量は、図６（ａ）中、符号「Ｘ３」で示されている。視聴者がリモートコントローラ２５を操作し、標準再生速度を選択したとき、調整部２３８は視差量を維持したまま、ディスプレイ装置２１に映像信号（画像データ３８１，３８２）を出力する。視聴者がリモートコントローラ２５を操作し、早見再生速度を選択したとき、調整部２３８は、図６（ｂ）に示される如く、縮小された画像の表示領域Ｄを決定する。表示領域Ｄは、コンテンツデータに含まれる左眼用の画像及び右眼用の画像の表示領域と相似形状の領域である。表示領域Ｄの中心が、コンテンツデータに含まれる左眼用の画像及び右眼用の画像の表示領域と一致するように、表示領域Ｄの位置が決定される。その後、調整部２３８は、左眼用の画像及び右眼用の画像を表示領域Ｄで定められる大きさの領域まで縮小する。この結果、縮小された左眼用の画像及び右眼用の画像の周縁に沿って、画像データが存在しない領域Ｎが生ずる。この画像データが存在しない領域Ｎには、例えば、灰色で表示されるように補足的な画像データが埋め込まれてもよい。かくして、調整部２３８による縮小処理により、左眼用の画像の中に表されているオブジェクトＯＬと右眼用の画像の中に表されているオブジェクトＯＲとが互いに近づくこととなる。この結果、左眼用の画像と右眼用の画像との間の視差量（左眼用の画像中のオブジェクトＯＬと右眼用の画像中のオブジェクトＯＲとの間の位置差）が低減する。低減された視差量は、図６（ｃ）において、符号「Ｘ４」で示されている。したがって、調整部２３８は、標準再生速度でコンテンツデータの再生が行われている間の視差量よりも、早見再生速度でコンテンツデータの再生が行われている間の視差量を低減させることができる。
【００５８】
早見再生速度として、画像再生装置２３が複数の再生速度を用意している場合、調整部２３８による画像縮小率は、再生速度が大きくなるにつれて大きくされることが好ましい。これにより、比較的速い早見再生速度では、視差量がより小さくなるように調整され、比較的遅い早見再生速度では、視差量がより大きくなるように調整されることとなる。調整部２３８による画像縮小率は、再生速度をパラメータとする所定の演算式を用いて、演算並びに決定されてもよい。代替的に、早見再生速度それぞれに対応する画像縮小率を示すルックアップテーブルが用意されてもよい。調整部２３８は、ルックアップテーブル内に用意された画像縮小率から、視聴者によるリモートコントローラ２５の操作によって決定された特定の早見再生速度に対応する画像縮小率を選択してもよい。
【００５９】
図７は、調整部２３８による視差量を調整するための他の処理を説明する図である。図７（ａ）乃至図７（ｄ）は、調整部２３８が行う処理を順に示す。図７に示される画像は、右眼用の画像である。図７に関連して説明される調整部２３８による処理は、左眼用の画像に対しても同様に適用可能である。図１乃至図３並びに図５乃至図７を用いて、調整部２３８による視差量を調整するための処理が説明される。
【００６０】
図５及び図６に示される処理において、調整部２３８は画像全体を処理しているが、図７に示される処理において、調整部２３８は画像中のオブジェクト単位で処理を実行する。このため、調整部２３８は、第１画像及び第２画像をセグメント化するセグメント化部と、セグメント化により得られた区画のうち、オブジェクトの表示に寄与している区画を識別する区画識別部と、識別部によって識別された区画に含まれる画像データの表示位置を変更する変更部とを備えることが好ましい。視聴者がリモートコントローラ２５を操作し、早見再生速度を選択したとき、セグメント化部は、図７（ａ）に示される如く、画像を複数の矩形区画にセグメント化する。区画識別部は、画像中のオブジェクトＯＲの表示に寄与している区画を識別する。オブジェクトＯＲの識別には、輪郭抽出といった既知の画像処理技術が適用可能である。図７（ｂ）に示されるように、区画識別部は、画像の各区画がオブジェクトＯＲの表示に寄与しているか否かを判定し、オブジェクトＯＲの表示に寄与している領域Ｃを決定する。図７（ｃ）に示されるように、その後、変更部は、領域Ｃに含まれる画像データの表示位置を右方に移動させる。領域Ｃに含まれる画像データの表示位置の移動量は、早見再生速度の大きさに応じて、適宜定められる。領域Ｃに含まれる画像データの表示位置の変更に伴い、領域Ｃの左方に画像データが存在しない領域Ｎが発生する。各区画に生じた領域Ｎには、周囲の区画の画像データを用いて補完的な画像データが埋め込まれることとなる。例えば、オブジェクトＯＲが右方に移動した分、左方の背景画像の続きが見えてくると仮定し、左方の隣接領域の画像データがコピーされてもよい。かくして、図７（ｄ）に示されるように、早見再生速度でのコンテンツデータの再生時において、オブジェクトＯＲを画像中で所定量だけ移動させ、左眼用の画像と右眼用の画像との間の視差量の低減が図られる。したがって、調整部２３８は、標準再生速度でコンテンツデータの再生が行われている間の視差量よりも、早見再生速度でコンテンツデータの再生が行われている間の視差量を低減させることができる。
【００６１】
図２、図３及び図７を用いて、更に、画像中のオブジェクトの移動が説明される。
【００６２】
コンテンツデータに含まれる左眼用の画像及び右眼用の画像中のオブジェクトＯＬ，ＯＲ間の位置差Ｘ１又はＸ２に基づき、変更部は、表示パネル２１１上にオブジェクトＦが知覚されるときの左眼Ｌと右眼Ｒとの間の基準輻輳角θｒを算出することができる。また、変更部は、オブジェクトＯＬ，ＯＲ間の位置差Ｘ１又はＸ２に基づき、オブジェクトＯＬ，ＯＲ間の位置差がＸ１或いはオブジェクトＯＬ，ＯＲ間の位置差がＸ２であるときの左眼Ｌと右眼Ｒとの間の輻輳角θ１又はθ２を算出することができる。変更部は更に、基準輻輳角θｒと、オブジェクトＯＬ，ＯＲ間の位置差がＸ１或いはオブジェクトＯＬ，ＯＲ間の位置差がＸ２であるときの輻輳角θ１又はθ２との差の絶対値が標準再生速度での再生時よりも早見再生速度での再生時の方が小さくなるようにオブジェクトＯＬ，ＯＲを図７に関連して説明された手法を用いて移動させることができる。
【００６３】
図８は、立体的に知覚されるオブジェクトが複数存在するときのオブジェクトの移動を説明する図である。図２、図３、図７及び図８を参照しつつ、オブジェクトの移動が更に説明される。
【００６４】
調整部２３８は、第１画像及び第２画像中に表示される複数のオブジェクトのうち特定のオブジェクトに対して、図７に関連して説明された画像処理を実行してもよい。このため、調整部２３８は、特定のオブジェクトを識別するオブジェクト識別部を備えることが好ましい。図８に示されるように、視聴者に立体的に知覚される複数のオブジェクトＦ１乃至Ｆ４が存在するとき、オブジェクト識別部は、左眼用の画像及び右眼用の画像中のオブジェクトＯＬ，ＯＲの位置差Ｘ１又はＸ２に基づいて、視聴者に最も近い位置に存すると知覚される第１オブジェクトと最も遠い位置に存すると知覚される第２オブジェクトとを識別することができる。図８において、第１オブジェクトとして識別されるオブジェクトには符号Ｆ１が付され、第２オブジェクトとして識別されるオブジェクトには符号Ｆ４が付されている。変更部は、視聴者に最も近い位置に存すると知覚されるオブジェクトＦ１及び最も遠い位置に存すると知覚されるオブジェクトＦ４を移動させる対象のオブジェクトとして、図２及び図７に関連して説明された手法を用いて、これらを画像中で移動させることができる。視聴者が知覚する表示パネル２１１からのオブジェクトの飛び出し量及び／又は引き込み量が低減されるので、視聴者の眼への負担が緩和される。
【００６５】
図９は、立体的に知覚されるオブジェクトが複数存在するときのオブジェクトの移動の他の手法を説明する図である。図２、図３、図７及び図９を参照しつつ、オブジェクトの移動の他の手法が更に説明される。
【００６６】
オブジェクト識別部は、表示パネル２１１から視聴者に知覚されるオブジェクトまでの距離に対して設けられた閾値に基づいて、移動対象となるオブジェクトを選択してもよい。図９には、表示パネル２１１から距離Ｙ３だけ視聴者側に接近した位置に飛び出し側の閾値Ｔ１を表す線が示されている。また、図９には、表示パネル２１１から距離Ｙ４だけ視聴者から離間した位置に引き込み側の閾値Ｔ２を表す線が示されている。
【００６７】
図９には、閾値Ｔ１を表す線と閾値Ｔ２を表す線との間の領域で知覚されるオブジェクトＦ１及びＦ２が示されている。また、閾値Ｔ１を表す線よりも視聴者側に近接した位置にオブジェクトＦ３及びＦ４が示されている。更に、閾値Ｔ２を表す線よりも視聴者から離間した位置にオブジェクトＦ５及びＦ６が示されている。
【００６８】
オブジェクト識別部は、閾値Ｔ１を表す線よりも視聴者側に近接したオブジェクトＦ３及びＦ４並びに閾値Ｔ２を表す線よりも視聴者から離間したオブジェクトＦ５及びＦ６を移動対象となるオブジェクトとして選択する。変更部は、図２及び図７に関連して説明された手法を用いて、選択されたオブジェクトＦ３、Ｆ４、Ｆ５、Ｆ６の表示位置を変更する。視聴者が知覚する表示パネル２１１からのオブジェクトの飛び出し量及び／又は引き込み量が低減されるので、視聴者の眼への負担が緩和される。
【００６９】
図１０は、立体的に知覚されるオブジェクトが複数存在するときのオブジェクトの移動の他の手法を説明する図である。図２、図３、図７及び図１０を参照しつつ、オブジェクトの移動の他の手法が更に説明される。
【００７０】
オブジェクト識別部は、表示パネル２１１中のオブジェクトの表示位置に基づいて、異動対象となるオブジェクトを選択してもよい。図１０に示される如く、オブジェクト識別部は、表示パネル２１１中のオブジェクトの表示領域を水平方向に分割された３つの領域（左側領域、中央領域及び右側領域）として識別してもよい。
【００７１】
図１０において、左側領域中には、オブジェクトＦ１が表示される。中央領域中には、オブジェクトＦ２及びＦ３が表示される。左側領域中には、オブジェクトＦ４が表示される。
【００７２】
オブジェクト識別部は、中央領域に表示されるオブジェクトＦ２及びＦ３を移動対象となるオブジェクトとして選択する。変更部は、図２及び図７に関連して説明された手法を用いて、選択されたオブジェクトＦ２及びＦ３の表示位置を変更する。一般的に、視聴者は、中央領域に表示されるオブジェクトを注視するので、中央領域に表示されるオブジェクトの飛び出し量及び／又は引き込み量が低減されると、視聴者の眼への負担が緩和される。
【００７３】
図１１は、立体的に知覚されるオブジェクトが複数存在するときのオブジェクトの移動の他の手法を説明する図である。図２、図３、図７及び図１１を参照しつつ、オブジェクトの移動の他の手法が更に説明される。
【００７４】
オブジェクト識別部は、表示パネル２１１中のオブジェクトの表示面積に基づいて、異動対象となるオブジェクトを選択してもよい。図１１には、最も大きく表示されるオブジェクトＦ１と、オブジェクトＦ１の次に大きく表示されるオブジェクトＦ２と、オブジェクトＦ２の次に大きく表示されるオブジェクトＦ３と、最も大きく表示されるオブジェクトＦ４とが示されている。オブジェクト識別部は、オブジェクトの表示面積に対して優先順位を設定し、例えば、２つのオブジェクトを選択してもよい。この場合、オブジェクト識別部は、オブジェクトＦ１及びＦ２を選択する。
【００７５】
変更部は、図２及び図７に関連して説明された手法を用いて、選択されたオブジェクトＦ１及びＦ２表示位置を変更する。一般的に、視聴者は、大きく表示されるオブジェクトを注視する。したがって、比較的大きく表示されるオブジェクトの飛び出し量及び／又は引き込み量が低減されると、視聴者の眼への負担が緩和される。
【００７６】
図１１に関連して説明されたオブジェクト識別部による優先順位の設定は、図９及び図１０に関連して説明されたオブジェクトの移動手法に適用されてもよい。例えば、図９に関連して説明されたオブジェクトの表示位置の変更は、閾値Ｔ１及びＴ２によって識別されたオブジェクトＦ３乃至Ｆ６のうち、大きく表示される所定数のオブジェクトに対してのみ実行されてもよい。或いは、図９に関連して説明されたオブジェクトの表示位置の変更は、閾値Ｔ１及びＴ２によって識別されたオブジェクトＦ３乃至Ｆ６のうち、中央領域に表示される或いは中央領域に近い位置に表示されるオブジェクトにのみ実行されてもよい。代替的に、オブジェクト識別部は、表示パネル２１１から視聴者に知覚されるオブジェクトまでの距離、オブジェクトの表示位置及び／又はオブジェクトの表示面積に基づいて、所定数のオブジェクトを移動対象のオブジェクトとして選択してもよい。
【００７７】
図１２は、早見再生時における音声信号処理部２３９の音声信号処理を説明する図である。図１２（ａ）は、記憶媒体２３３が記憶するコンテンツデータの標準再生速度での音声データ（音声信号）を示す。図１２（ｂ）は、早見再生時において再生部２３６から音声信号処理部２３９へ出力される音声データ（音声信号）を示す。図１２（ｃ）は、音声信号処理部２３９による音声信号処理後の音声データ（音声信号）を示す。図１、図３及び図１２を用いて、音声信号処理部２３９による音声信号処理が説明される。
【００７８】
視聴者がリモートコントローラ２５を操作して、早見再生を指示すると、標準再生速度での再生時と同様に、再生部２３６は、記憶媒体２３３が記憶するコンテンツデータの音声データ全てを再生し、音声信号処理部２３９へ出力する。図１２（ａ）に示される音声データと図１２（ｂ）に示される音声データとを比較すると明らかな如く、早見再生速度で再生された音声データは、標準再生速度で再生された音声データと比較して、１秒当たりのデータ量が多くなっている。音声信号処理部２３９は、速度変換処理を行い、音声データの量を標準再生速度での再生時と同等のデータ量に低減し、ディスプレイ装置２１へ出力する。
【００７９】
図１２（ａ）に示される如く、音声データは、無音部と、人間の声の子音を表す無声部と、人間の声の母音を表す有声部とに分割される。有声部には、等間隔の周期性（ピッチ周期）が認められ、音声信号処理部２３９は、ピッチ周期Ｐを検出する。
【００８０】
図１２（ｂ）に示される如く、早見再生速度で再生され、再生部２３６から音声信号処理部２３９へ出力される音声データは、上述の如く、標準再生速度で再生される音声データと比較して、１秒当たりのデータ量が多くなる。この結果、早見再生速度で再生された音声データのピッチ周期Ｐは、標準再生速度で再生された音声データのピッチ周期Ｐよりも短くなる。したがって、早見再生速度で再生された音声データが速度変換処理を受けることなく出力された場合、視聴者はピッチ周期Ｐが短くなった分だけ音程が高くなった音声を聴くこととなる。また、音声が速すぎ、視聴者は音声データの内容を把握しづらくなる。
【００８１】
図１２（ｃ）に示される如く、音声信号処理部２３９は、早見再生速度での再生時の間、早見再生速度に合わせて、無音部を短くするとともに、無声部及び有声部を長くするように音声データを調整する。この結果、音声速度が低減され、視聴者は、音声データの内容を比較的容易に把握することが可能となる。更に、音声信号処理部２３９は、検出されたピッチ周期Ｐの単位で有声部の音声データを間引き、ピッチ周期Ｐの長さを標準再生速度で再生された音声データのピッチ周期と等しく或いは近似させる。更に、音声信号処理部２３９は無声部の音声データを適宜間引く。その後、無声部及び有声部の音声データを、標準再生速度で再生された音声データと等しい或いは近似した波形となるように調整する。この結果、ディスプレイ装置２１から出力された音声は、標準再生速度で再生された音声と等しくなる或いは近似することとなる。
【００８２】
図１及び図３を再度用いて、高速再生時における画像再生装置２３の動作が説明される。
【００８３】
視聴者がリモートコントローラ２５を操作し、高速再生速度でのコンテンツデータの再生を指示すると、制御部２３５は、バス２４０を介して、再生部２３６、画像信号処理部２３７、調整部２３８、媒体制御部２３４、画像生成部２４１及び音声信号処理部２３９を制御し、記憶媒体２３３からコンテンツデータ（映像データ及び音声データ）を高速再生速度（例えば、標準再生速度の２倍の再生速度）で再生する。画像信号処理部２３７は、映像データ中の画像を間引いて調整部２３８へ画像データ３７１，３７２を出力する。この結果、視差量の時間変化は大きくなる。
【００８４】
調整部２３８は、高速再生速度でのコンテンツデータの再生の間、左眼用の画像データ３８１及び右眼用の画像データ３８２のうち一方をディスプレイ装置２１へ出力する。この結果、ディスプレイ装置２１は、左眼用の画像データ３８１及び右眼用の画像データ３８２のうち一方を表示することとなる。代替的に、画像信号処理部２３７が、左眼用の画像データ３７１及び右眼用の画像データ３７２のうち一方を調整部２３８へ出力してもよい。この結果、調整部２３８は、左眼用の画像データ３８１及び右眼用の画像データ３８２のうち一方をディスプレイ装置２１へ出力し、ディスプレイ装置２１は、左眼用の画像データ３８１及び右眼用の画像データ３８２のうち一方を表示することとなる。更に代替的に、調整部２３８は、図５乃至図１１に関連して説明された手法を用いて、左眼用の画像と右眼用の画像との視差量を「０」とするように、左眼用の画像と右眼用の画像とを調整してもよい。
【００８５】
高速再生速度でコンテンツデータが再生されると、音声信号処理部２３９はディスプレイ装置２１への音声信号の出力を停止する処理を実行する。或いは、高速再生速度でコンテンツデータが再生されると、再生部２３６は音声データを再生しない。この結果、視聴者は、音声を聴くことなく、表示パネル２１１上に表示される映像を２次元的に知覚する。
【００８６】
高速再生時には、上記にて説明した通り、調整部２３８は、左眼用の画像信号及び右眼用の画像信号のうち一方の画像信号を出力し、視差量を「０」にする。したがって、ディスプレイ装置２１及び眼鏡装置３が通常再生時及び早見再生時と同じ動作をするならば、視聴者は２次元の画像を見ることができる。このときは、図３に関連して説明されたモード制御信号２４２は必要ない。一方、モード制御信号２４２が接続されることで、調整部２３８からは視差のある立体画像信号を出力したままで、視聴者には視差の無い画像を提示することが可能である。以下、このような場合について、図１、図３及び図４を再度参照しつつ、ディスプレイ装置２１及び眼鏡装置３の動作が説明される。
【００８７】
同期信号生成部２１５は、画像再生装置２３が高速再生を行っていることをモード制御信号２４２経由で受け取り、標準再生時或いは早見再生時と異なる波形の同期信号を生成する。同期信号生成部２１５は、高速再生時において、眼鏡装置３に左眼フィルタ３１と右眼フィルタ３２とを同じタイミングで開閉させる同期信号を生成する。送信部２１３は、この同期信号を眼鏡装置３の受信部３４へ送信する。
【００８８】
眼鏡装置３の内部信号生成部３８は、同期信号の波形に基づき、左右同一の画像を視聴するための制御を光学フィルタ制御部３９に実行させるための内部信号を生成する。光学フィルタ制御部３９は、当該内部信号に基づいて、左眼フィルタ３１及び右眼フィルタ３２を、左右同一タイミングで開閉する制御を実行する。例えば、両方が左眼画像に同期したタイミングで開くようにすることで、視聴者は右眼でも左眼でも左眼画像を見ることになる。この結果、視聴者は表示パネル２１１上に表示される映像を２次元的に知覚することとなる。
【００８９】
図１３は、制御部２３５による再生制御を説明するフローチャートである。尚、本実施形態において、制御部２３５は、画像再生装置２３に予め記憶された再生制御実行用の画像再生プログラムであってもよい。図１、図３及び図１３を用いて、制御部２３５による再生制御が説明される。
【００９０】
（ステップＳ１００）
視聴者が、リモートコントローラ２５を操作し、制御信号を画像再生装置２３へ送信すると、制御部２３５は、制御信号に基づき、高速再生の指示がなされたか否かを判定する。制御部２３５が高速再生の指示がなされたと判定すると、ステップＳ１１０が実行される。制御部２３５が高速再生の指示がなされていないと判定すると、ステップＳ１２０が実行される。
【００９１】
（ステップＳ１１０）
制御部２３５が、高速再生の指示がなされたと判定すると、制御部２３５は、バス２４０を介して、再生部２３６、画像信号処理部２３７、調整部２３８、媒体制御部２３４及び画像生成部２４１を制御し、記憶媒体２３３に記憶されたコンテンツデータを高速再生速度で再生する。
【００９２】
上述の如く、コンテンツデータが高速再生速度で再生されると、画像信号処理部２３７は、制御部２３５の制御下で、左眼用の画像データ３７１及び右眼用の画像データ３７２それぞれを間引いて、調整部２３８に出力する。調整部２３８は、制御部２３５の制御下で、左眼用の画像データ３８１及び右眼用の画像データ３８２のうち一方の画像データをディスプレイ装置２１に出力する。代替的に、画像信号処理部２３７は、制御部２３５の制御下で、左眼用の画像データ３７１及び右眼用の画像データ３７２のうち一方を調整部２３８に出力してもよい。調整部２３８は、制御部２３５の制御下で、画像信号処理部２３７から出力された左眼用の画像データ３７１及び右眼用の画像データ３７２のうち一方の画像データをディスプレイ装置２１に出力してもよい。この結果、調整部２３８は、左眼用の画像データ３７１及び右眼用の画像データ３７２のうち一方の画像データをディスプレイ装置２１に出力することとなる。調整部２３８からディスプレイ装置２１へ出力される画像データの選択は、予め定められてもよいし、視聴者のリモートコントローラ２５の操作を通じて決定されてもよい。
【００９３】
制御部２３５は、更に、再生部２３６を制御し、再生部２３６に音声データの再生を実行させない。代替的に、制御部２３５は、再生部２３６に音声データの再生を実行させる一方で、音声信号処理部２３９に音声データの出力をさせない制御を実行してもよい。この結果、視聴者は、音声を聴くことなく、表示パネル２１１上に表示される映像を２次元的に知覚することとなる。
【００９４】
（ステップＳ１２０）
ステップ１００において、制御信号が高速再生を指示していないと判定するとき、ステップ１２０が実行される。ステップ１２０において、制御部２３５は、制御信号が早見再生速度でのコンテンツデータの再生を指示しているか否かを判定する。制御部２３５が、早見再生速度での再生の指示がなされたと判定すると、ステップ１３０が実行される。制御部２３５が、早見再生速度での再生の指示がなされていないと判定すると、ステップ１４０が実行される。
【００９５】
（ステップＳ１３０）
早見再生速度での再生の指示がなされたと判定した制御部２３５は、バス２４０を介して、再生部２３６、画像信号処理部２３７、調整部２３８、媒体制御部２３４及び画像生成部２４１を制御し、記憶媒体２３３に記憶されたコンテンツデータ（映像データ及び／又は音声データ）を早見再生速度で再生する。
【００９６】
上述の如く、コンテンツデータが早見再生速度で再生されると、画像信号処理部２３７は、制御部２３５の制御下で、左眼用の画像データ３７１及び右眼用の画像データ３７２それぞれを間引いて、調整部２３８に出力する。その後、調整部２３８は、制御部２３５の制御下で、左眼用の画像データ３７１と右眼用の画像データ３７２との間の視差量を検出し、視差量を減少させる。視差量の減少は、図５乃至図１１に関連して説明された手法を用いて実行される。更に、制御部２３５は、調整部２３８に減少された視差量を有するように調整された左眼用の画像データ３８１と右眼用の画像データ３８２とをディスプレイ装置２１に出力させる。制御部２３５は更に、音声信号処理部２３９を制御し、音声信号の調整を行う。音声信号の調整は、図１２に関連して説明された手法を用いて実行される。この結果、視聴者は、音声を聴きつつ、表示パネル２１１上に表示される映像を３次元的に知覚することとなる。このとき、表示パネル２１１に対して視聴者が知覚するオブジェクトの飛び出し量及び／又は引っ込み量は、上述の如く、標準再生速度での再生時に知覚されるオブジェクトの飛び出し量及び／又は引き込み量よりも低減されている。したがって、早見再生速度で再生された映像を視聴する視聴者の眼への負担が軽減されることとなる。
【００９７】
（ステップＳ１４０）
ステップＳ１２０において、制御部２３５が、制御信号が早見再生を指示していないと判定するならば、ステップＳ１４０が実行される。ステップＳ１４０において、制御部２３５は、バス２４０を介して、再生部２３６、画像信号処理部２３７、調整部２３８、媒体制御部２３４及び画像生成部２４１を制御し、記憶媒体２３３に記憶されたコンテンツデータ（映像データ及び／又は音声データ）を標準再生速度で再生する。
【００９８】
（高速再生モードから標準再生モードへのモード変更）
視聴者がリモートコントローラ２５を操作し、高速再生モードから標準再生モードへモード変更を行うと、画像信号処理部２３７は、制御部２３５の制御下で、記録媒体上の画像信号の各フレームをスキップすることなく、調整部２３８に出力する。調整部２３８は、制御部２３５の制御下で、左眼用の画像データ３８１及び右眼用の画像データ３８２をディスプレイ装置２１に出力する。
【００９９】
（高速再生モードから早見再生モードへのモード変更）
視聴者がリモートコントローラ２５を操作し、高速再生モードから早見再生モードへモード変更を行うと、画像信号処理部２３７は、制御部２３５の制御下で、左眼用の画像データ３７１及び右眼用の画像データ３７２それぞれを間引いて、調整部２３８に出力する。その後、調整部２３８は、制御部２３５の制御下で、左眼用の画像データ３７１と右眼用の画像データ３７２との間の視差量を検出し、視差量を減少させる。視差量の減少は、図５乃至図１１に関連して説明された手法を用いて実行される。更に、制御部２３５は、調整部２３８に減少された視差量を有するように調整された左眼用の画像データ３８１と右眼用の画像データ３８２とをディスプレイ装置２１に出力させる。制御部２３５は更に、音声信号処理部２３９を制御し、音声信号の調整を行う。音声信号の調整は、図１２に関連して説明された手法を用いて実行される。この結果、視聴者は、音声を聴きつつ、表示パネル２１１上に表示される映像を３次元的に知覚することとなる。このとき、表示パネル２１１に対して視聴者が知覚するオブジェクトの飛び出し量及び／又は引っ込み量は、上述の如く、標準再生速度での再生時に知覚されるオブジェクトの飛び出し量及び／又は引き込み量よりも低減されている。したがって、早見再生速度で再生された映像を視聴する視聴者の眼への負担が軽減されることとなる。
【０１００】
（早見再生モードから標準再生モードへのモード変更）
視聴者がリモートコントローラ２５を操作し、早見再生モードから高速再生モードへモード変更を行うと、画像信号処理部２３７は、制御部２３５の制御下で、記録媒体上の画像信号の各フレームをスキップすることなく、調整部２３８に出力する。調整部２３８は、制御部２３５の制御下で、左眼用の画像データ３８１及び右眼用の画像データ３８２をディスプレイ装置２１に出力する。このとき、調整部２３８は、画像信号処理部２３７から入力された左眼用の画像データ３７１及び右眼用の画像データ３７２に対して、視差量の調整を行わない。したがって、調整部２３８から出力される左眼用の画像データ３８１及び右眼用の画像データ３８２との間には、記憶媒体２３３中のコンテンツデータに従う視差量が存在することとなる。かくして、標準再生モードにおいて、視聴者は、早見再生モードと比べて、大きな飛び出し量及び／又は引き込み量のオブジェクトを知覚することができる。
【０１０１】
（第２実施形態）
図１４は、第２実施形態に係る画像再生装置２３Ａの構成を説明する概略的なブロック図である。図１５は、再生部２３６Ａから出力される画像データ３６０を示す。第１実施形態と同様の要素に対して、同様の符号が割り当てられている。図１４及び図１５を用いて、第１実施形態との相違点が説明される。本実施形態において、再生部２３６Ａから調整部２３８Ａへ送られる画像データ３６０が第１実施形態と相違する。以下において説明されない要素に対し、第１実施形態に係る説明が好適に援用される。
【０１０２】
第１実施形態に関連して説明された再生部２３６と同様に、再生部２３６Ａは、記憶媒体２３３に記憶されたコンテンツデータの映像データから再生対象となる画像データを読み出す。その後、再生部２３６Ａは、読み出された画像データ３６０を画像信号処理部２３７Ａへ出力する。画像データ３６０は、表示パネル２１１に表示される画像のデータに加えて、左眼用の画像データ３８１と右眼用の画像データ３８２とを生成するための視差量データ「Ｘ」を含む。
【０１０３】
第１実施形態に関連して説明された画像信号処理部２３７と同様に、画像信号処理部２３７Ａは、画像データ３６０に対して、記録時に施されているＭＰＥＧ−２やＨ．２６４といった圧縮符号化に対する伸長処理や、表示用の画像調整処理を施与する。これらの処理がなされた画像データ３７０は、調整部２３８Ａに出力される。
【０１０４】
図１６は、画像信号処理部２３７Ａから出力される画像データ３７０と、標準再生モードにおいて調整部２３８Ａから出力される左眼用及び右眼用の画像データ３８１，３８２とを示す。図１４及び図１６を用いて、調整部２３８Ａによる画像データ３８１，３８２の生成が説明される。
【０１０５】
調整部２３８Ａは、画像信号処理部２３７Ａから出力される画像データ３７０に基づき、左眼用の画像データ３８１と右眼用の画像データ３８２とを生成する。調整部２３８Ａは、標準再生モードにおいて、画像データ３７０が含む視差量データに基づき、画像データ３７０中のオブジェクトＯの表示位置が視差量「Ｘ」だけずらされた画像データ３８１，３８２を生成する。左眼用の画像データ３８１と右眼用の画像データ３８２との間で、オブジェクトがずらされる方向は水平方向に異なる。
【０１０６】
図１７は、画像信号処理部２３７Ａから出力される画像データ３７０と、早見再生モードにおいて調整部２３８Ａから出力される左眼用及び右眼用の画像データ３８１，３８２とを示す。図１４、図１６及び図１７を用いて、調整部２３８Ａによる画像データ３８１，３８２の生成が説明される。
【０１０７】
調整部２３８Ａは、早見再生モードにおいて、画像データ３７０が含む視差量データが規定する視差量「Ｘ」よりも小さな視差量「Ｘａ」だけ画像データ３７０中のオブジェクトＯの表示位置が水平方向にずらされた画像データ３８１，３８２を生成する。標準再生モードにおけるオブジェクトＯの表示位置のズレ量「Ｘ」に対する早見再生モードにおけるオブジェクトＯの表示位置のズレ量「Ｘａ」の減少率は、標準再生モードにおける再生速度と早見再生モードにおける再生速度との差に応じて、適宜決定される。本実施形態において、画像データ３７０に含まれる視差量データは、視差情報として例示される。早見再生モードにおけるオブジェクトの表示位置の調整に対して、図５乃至図１１に関連して説明された手法が好適に用いられる。
【０１０８】
調整部２３８Ａは、早見再生モード時に、低減された視差量「Ｘａ」となるように画像データ３８１，３８２を縮小してもよい。代替的に、視差量データが画像データ３７０中に含まれる複数のオブジェクトそれぞれに割り当てられているならば、調整部２３８Ａは、オブジェクトを個別にずらす調整をしてもよい。更に代替的に、調整部２３８Ａは、オブジェクトそれぞれに対して割り当てられた視差量データに基づき、移動対象となるオブジェクトを選択してもよい。
【０１０９】
第２実施形態において、画像データ３７０に含まれる視差量データに基づき、画像データ３７０のオブジェクトＯは、画像データ３８１，３８２において左右にずらされている。代替的に、画像データ３７０に含まれる視差量データは、画像データ３８１，３８２のうち一方に対するシフト量を表してもよい。例えば、画像データ３７０の視差量データが左眼用の画像データ３８１のオブジェクトＯＬのシフト量を表すならば、調整部２３８Ａは、左眼用の画像データ３８１を生成するときに、視差量データに従って、オブジェクトＯＬをシフトさせ、右眼用の画像データ３８２を生成するときに、画像データ３７０に表現されたオブジェクトＯと略等しい位置にオブジェクトＯＲを表現してもよい。
【０１１０】
上記の実施形態においては、標準再生モードの２倍以上の速度が高速再生モードとして規定され、高速再生モードにおいて、表示パネル２１１は２次元画像を表示する。代替的に、標準再生速度の２倍の再生速度や４倍の再生速度といった低倍速高速再生においても、図５乃至図１１に関連して説明された手法を用いて、視差量が低減された上で、映像が視聴者に提供されてもよい。また、標準再生速度の４倍を超える再生速度において、上述の如く、２次元的に映像が知覚されるように、視聴者に映像が提供されてもよい。
【０１１１】
第１実施形態において、高速再生時においても、再生部２３６は記憶媒体２３３から全ての画像を読み込んでいる。代替的に、高速再生時において、再生部２３６は記憶媒体２３３から左眼用の画像データ及び右眼用の画像データのうちいずれか一方を選択的に読み込んでもよい。
【０１１２】
上記の実施形態において、立体映像の視聴を補助する眼鏡装置３として、シャッタ方式の眼鏡装置が採用されている。代替的に、立体映像の視聴を補助する眼鏡装置３として、偏向方式の眼鏡装置が採用されてもよい。
【０１１３】
上述の画像再生装置２３は、ＣＰＵ（Central Processing Unit）、システムＬＳＩ（Large Scale Integration）、ＲＡＭ（Random Access Memory）、ＲＯＭ（Read Only Memory）、ＨＤＤ（Hard Disk Drive）、ネットワークインターフェースを備えてもよい。更に、画像再生装置２３は、ＤＶＤ−ＲＡＭ、Ｂｌｕ−ｒａｙディスク、ＳＤ（Secure Digital）メモリカードのような可搬性の記録媒体に対して読み出し、又は、読み書き可能なドライブ装置を備えてもよい。
【０１１４】
尚、上記説明における図面に示される構成、配置或いは形状等並びに図面に関連する記載は、上述された実施形態の原理を容易に理解させることを目的とするものであり、上述された実施形態の原理を何ら限定するものではない。上述された実施形態において示されるコンテンツデータは、ブルーレイディスクやＤＶＤディスクといった記憶媒体に格納された映画、ビデオなどの映像データ及び／又は音声データを含む。代替的に、コンテンツデータは、インターネット経由で提供される映像データ及び／又は音声データ、放送電波を用いて提供される映像データ及び／又は音声データや他の手段を用いて提供される映像データ及び／又は音声データであってもよい。上述された実施形態において示される画像再生装置は、ブルーレイディスクやＤＶＤディスクといった記憶媒体を再生するためのブルーレイプレイヤやＤＶＤプレイヤである。代替的に、画像再生装置は、提供されたコンテンツデータを、記憶し或いは記憶することなしに、再生するパーソナルコンピュータや他の画像再生機能を有する任意の装置であってもよい。上述された実施形態において、表示装置として示されるテレビ装置では、コンテンツデータを映像として表示するためのディスプレイ装置と画像再生装置とが別体に設けられている。代替的に、テレビ装置は、一体的に構成されたディスプレイ装置と画像再生装置とを含んでもよい。また、表示装置は、放送波をチューニングする機能を有するテレビ装置の他、モニタを有するコンピュータや画像を表示することが可能な任意の装置であってもよい。
【０１１５】
上述された実施形態において、コンテンツデータを格納する記憶媒体によって定められる標準再生速度が第１速度として示される。代替的に、コンテンツデータを最も良好に提供することができる再生速度が第１速度とされてもよい。更に代替的に、画像再生装置が提供可能な再生速度のうち、比較的低い再生速度が第１速度として用いられてもよい。上述された実施形態において、第１速度より速い再生速度であって、視聴者が音声データの内容を把握できる程度の早見再生速度が第２速度として示される。代替的に、コンテンツデータが含む映像データによって表されるオブジェクトを立体的に視聴者が把握できる程度の再生速度が第２速度とされてもよい。上述された実施形態において、早見再生速度は、標準再生速度の１．３倍乃至１．５倍の範囲の再生速度である。代替的に、早見再生速度は、標準再生速度よりも速く且つ標準再生速度の２倍未満の再生速度とされてもよい。上述された実施形態において、視聴者が音声データの内容を把握できる程度の再生速度よりも速い高速再生速度が第３速度として示される。代替的に、第２速度よりも速い任意の再生速度が第３速度として用いられてもよい。上述された実施形態において、高速再生速度は、標準再生速度の２倍の再生速度である。代替的に、標準再生速度の２倍を超える再生速度であってもよく、標準再生速度の２倍を下回る再生速度であってもよい。更に、代替的に、連続的に再生速度が増減されてもよい。この場合、連続的に変化する再生速度の変化帯の任意の速度が第１速度とされ、該第１速度よりも速い任意の速度が第２の速度とされ、該第２速度より速い任意の速度が第３速度とされる。
【０１１６】
本実施形態の画像再生装置２３は、ディスプレイ装置２１を伴って、テレビ装置２を構成している。代替的に、画像再生装置２３は、デジタルビデオカメラ、デジタルレコーダ、デジタルテレビ、ゲーム機、ＩＰ電話機や携帯電話機といった任意の画像処理装置に組み込まれてもよい。
【０１１７】
本実施形態の画像再生装置２３の制御部２３５及び／又は他の構成要素は、ＨＤＤまたはＲＯＭなどにインストールされた画像再生装置２３を制御するためのプログラム（以下、画像再生プログラムと称される）として実現されてもよい。画像再生プログラムが実行されることによって、画像再生装置２３の各機能が実現されてもよい。
【０１１８】
画像再生プログラムは、コンピュータシステムや組み込みシステムといったハードウェアシステムに読み取り可能な記録媒体に記録されてもよい。さらに、画像再生プログラムが、記録媒体を介して他のハードウェアシステムに読み出されて実行されてもよい。これにより、画像再生装置２３の各機能が他のハードウェアシステムを用いて実現されることとなる。ここで、コンピュータシステム読み取り可能な記録媒体として、光学記録媒体（例えば、ＣＤ−ＲＯＭ）、磁気記録媒体（例えば、ハードディスク）、光磁気記録媒体（例えば、ＭＯなど）や半導体メモリ（例えば、メモリカード）が例示される。
【０１１９】
画像再生プログラムは、インターネット、ローカルエリアネットワークといったネットワークに接続されたハードウェアシステムに保持されてもよい。さらに、ネットワークを介して他のハードウェアシステムにダウンロードされて実行されてもよい。これによって、画像再生装置２３の各機能を他のハードウェアシステムを用いて実現されることとなる。ここで、ネットワークとして、地上放送網、衛星放送網、ＰＬＣ（Power Line Communication）、移動電話網、有線通信網（例えば、ＩＥＥＥ８０２．３）、無線通信網（例えば、ＩＥＥＥ８０２．１１）が例示される。
【０１２０】
本実施形態の画像再生装置２３に実装される画像再生回路によって、画像再生装置２３の各機能が実現されてもよい。
【０１２１】
画像再生回路は、フルカスタムＬＳＩ（Large  Scale  Integration）、ＡＳＩＣ（Application  Specific  Integrated  Circuit）といったセミカスタムＬＳＩ、ＦＰＧＡ（Field  Programmable  Gate  Array）やＣＰＬＤ（Complex  Programmable  Logic  Device）といったプログラマブル・ロジック・デバイス、動的に回路構成が書き換え可能なダイナミック・リコンフィギュラブル・デバイスに形成されてもよい。
【０１２２】
画像再生装置２３の各機能を画像再生回路に形成する設計データは、ハードウェア記述言語によって記述されたプログラム（以下、ＨＤＬプログラムと称される）であってもよい。代替的に、設計データは、ＨＤＬプログラムを論理合成して得られるゲート・レベルのネットリストであってもよい。また、設計データは、ゲート・レベルのネットリストに、配置情報、プロセス条件等を付加したマクロセル情報であってもよい。設計データは、寸法、タイミング等が規定されたマスクデータとしてもよい。ここで、ハードウェア記述言語として、ＶＨＤＬ（Very high speed integrated circuit Hardware Description Language）、Ｖｅｒｉｌｏｇ−ＨＤＬやＳｙｓｔｅｍＣが例示される。
【０１２３】
さらに、設計データは、コンピュータシステム、組み込みシステムなどのようなハードウェアシステムに読み取り可能な記録媒体に記録されてもよい。設計データは、記録媒体を介して他のハードウェアシステムに読み出されて実行されてもよい。これらの記録媒体を介して他のハードウェアタシステムに読み取られた設計データは、ダウンロードケーブルを介して、プログラマブル・ロジック・デバイスにダウンロードされてもよい。
【０１２４】
設計データは、インターネット、ローカルエリアネットワークなどのようなネットワークに接続されているハードウェアシステムに保持されてもよい。さらに、設計データは、ネットワークを介して他のハードウェアシステムにダウンロードされて実行されてもよい。これらのネットワークを介して他のハードウェアシステムに取得された設計データは、ダウンロードケーブルを介して、プログラマブル・ロジック・デバイスにダウンロードされてもよい。
【０１２５】
代替的に、設計データは、通電時にＦＰＧＡに転送され得るように、シリアルＲＯＭに記録されてもよい。シリアルＲＯＭに記録された設計データは、通電時に、直接、ＦＰＧＡにダウンロードされてもよい。
【０１２６】
設計データは、通電時に、マイクロプロセッサによって生成され、ＦＰＧＡにダウンロードされてもよい。
【０１２７】
上述された実施形態は、以下の構成を主に備える。
【０１２８】
上述の実施形態の一局面に係る画像再生装置は、第１視点用の第１画像と、第２視点用の第２画像とを含む映像データを用いて立体的に映像を知覚させるためのコンテンツデータを再生する再生部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。
【０１２９】
上記構成によれば、再生部が再生するコンテンツデータは、第１視点用の第１画像と、第２視点用の第２画像とを含む映像データを用いて立体的に映像を知覚させる。設定部は、コンテンツデータを再生するときの再生速度を設定する。調整部は、設定部により設定された再生速度に応じて第１画像と第２画像との間の視差に関する視差情報を調整する。再生速度に応じて視差情報が調整されるため、視聴者が比較的短時間でコンテンツ内容を把握できるように速い再生速度でコンテンツデータを再生しても、視聴者の眼に対する疲労の増大が抑制される。
【０１３０】
上記構成において、前記調整部は、前記コンテンツデータを視聴する視聴者に知覚される前記映像データ中のオブジェクトの飛び出し量又は引き込み量のうち少なくとも一方の知覚量を前記再生速度に応じて変更することが好ましい。
【０１３１】
上記構成によれば、調整部は、前記コンテンツデータを視聴する視聴者に知覚される前記映像データ中のオブジェクトの飛び出し量又は引き込み量のうち少なくとも一方の知覚量を前記再生速度に応じて変更する。したがって、視聴者が比較的短時間でコンテンツ内容を把握できるように速い再生速度でコンテンツデータを再生しても、視聴者の眼に対する疲労の増大を抑制することが可能となる。
【０１３２】
上記構成において、前記設定部は、前記コンテンツデータを第１速度で再生するための第１モードと、前記コンテンツデータを前記第１速度よりも速い第２速度で再生するための第２モードと、を選択的に設定し、前記調整部は、前記第２モードにおける前記知覚量の変動量が、前記第１モードにおける前記知覚量の変動量よりも小さくなるように前記視差情報を調整することが好ましい。
【０１３３】
上記構成によれば、設定部は、コンテンツデータを第１速度で再生するための第１モードと、コンテンツデータを第１速度よりも速い第２速度で再生するための第２モードと、を選択的に設定する。調整部は、第２モードにおける知覚量の変動量が、第１モードにおける知覚量の変動量よりも小さくなるように視差情報を調整する。第２モードにおいて、知覚量の変動量が小さくなり、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【０１３４】
上記構成において、前記調整部は、前記第１画像及び前記第２画像のうち少なくとも一方をシフトさせることが好ましい。
【０１３５】
上記構成によれば、視差情報を調整する調整部は、第１画像及び第２画像のうち少なくとも一方をシフトさせる。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【０１３６】
上記構成において、前記調整部は、前記第１画像及び前記第２画像を縮小することが好ましい。
【０１３７】
上記構成によれば、視差情報を調整する調整部は、第１画像及び第２画像を縮小する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【０１３８】
上記構成において、前記調整部は、前記第１画像中の前記オブジェクトの表示位置及び前記第２画像中の前記オブジェクトの表示位置のうち少なくとも一方を変更することが好ましい。
【０１３９】
上記構成によれば、視差情報を調整する調整部は、第１画像中のオブジェクトの位置及び第２画像中のオブジェクトの位置のうち少なくとも一方を変更する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【０１４０】
上記構成において、前記オブジェクトは、複数のオブジェクトを含み、前記調整部は、前記コンテンツデータが表示される表示面からの前記オブジェクトの前記飛び出し量、前記表示面からの前記オブジェクトの前記引き込み量、前記表示面中の前記オブジェクトの表示位置及び前記オブジェクトの表示面積のうち少なくともいずれか１つに基づき、前記表示位置が変更されるオブジェクトを選択することが好ましい。
【０１４１】
上記構成によれば、第１画像及び第２画像が複数のオブジェクトを表示しているとき、調整部は、表示位置の変更が行われるべきオブジェクトを選択する。オブジェクトの選択は、コンテンツデータが表示される表示面からのオブジェクトの飛び出し量、表示面からのオブジェクトの引き込み量、表示面中のオブジェクトの表示位置及びオブジェクトの表示面積のうち少なくともいずれか１つに基づく。したがって、視聴者の眼に対する負担が効率的且つ効果的に軽減される。
【０１４２】
上記構成において、前記調整部は、前記第１画像及び前記第２画像それぞれを複数の区画にセグメント化するセグメント化部と、前記複数の区画のうち前記オブジェクトの表示に寄与している区画を識別する区画識別部と、前記オブジェクトの表示に寄与している区画に含まれる画像データの表示位置を変更する変更部と、を含むことが好ましい。
【０１４３】
上記構成によれば、調整部のセグメント化部は、第１画像及び第２画像それぞれを複数の区画にセグメント化する。区画識別部は、オブジェクトの表示に寄与している区画を識別する。変更部は、オブジェクトの表示に寄与している区画に含まれる画像データの表示位置を変更する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【０１４４】
上記構成において、前記調整部は、前記コンテンツデータが映し出される表示面に対する前記第１視点及び前記第２視点間の基準輻輳角と、前記第１画像及び前記第２画像に含まれる前記オブジェクトに対する前記第１視点及び前記第２視点間の輻輳角との差の絶対値が小さくなるように、前記視差情報を調整することが好ましい。
【０１４５】
上記構成によれば、調整部は、コンテンツデータが映し出される表示面に対する第１視点及び前記第２視点間の基準輻輳角と、第１画像及び第２画像に含まれるオブジェクトに対する第１視点及び第２視点間の輻輳角との差の絶対値が小さくなるように、視差情報を調整する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【０１４６】
上記構成において、前記視差情報は、前記第１画像中のオブジェクトの表示位置と前記第２画像中のオブジェクトの表示位置との差に関する情報を含み、前記調整部は、前記第１画像と前記第２画像との間での前記オブジェクトの前記表示位置の差が小さくなるように、前記視差情報を調整することが好ましい。
【０１４７】
上記構成によれば、視差情報は、第１画像中のオブジェクトの表示位置と第２画像中のオブジェクトの表示位置との差に関する情報を含む。調整部は、第１画像と第２画像との間でのオブジェクトの表示位置の差が小さくなるように、視差情報を調整する。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【０１４８】
上記構成において、前記設定部は、前記コンテンツデータを前記第２速度よりも速い第３速度で再生するための第３モードを設定するように形成され、前記調整部は、前記第３モードにおいて、前記第１画像及び前記第２画像のうちいずれか一方の画像を出力することが好ましい。
【０１４９】
上記構成によれば、第３モードにおいて、調整部は、第１画像及び第２画像のうちいずれか一方の画像を出力するので、コンテンツデータは、２次元映像として再生される。
【０１５０】
上記構成において、画像再生装置は、音声信号処理部を更に備え、前記コンテンツデータは、音声データを含み、前記設定部が、前記コンテンツデータの前記再生速度を前記第１モード又は前記第２モードに設定するとき、前記再生部は、前記音声データを再生し、前記設定部が、前記コンテンツデータの前記再生速度を前記第２モードに設定するとき、前記音声信号処理部は前記第２速度に合わせて、前記音声データを調整し、前記設定部が、前記コンテンツデータの前記再生速度を前記第３モードに設定するとき、前記再生部は前記音声データを再生しないことが好ましい。
【０１５１】
上記構成によれば、設定部が、コンテンツデータの再生速度を第１モード又は第２モードに設定するとき、再生部は、音声データを再生する。制御部がコンテンツデータの再生速度を第２モードに設定するとき、音声信号処理部は、第２速度に合わせて、音声データを調整する。制御部が、コンテンツデータの再生速度を第３モードに設定するとき、再生部は音声データを再生しない。したがって、視聴者は第１モード又は第２モードにおいて音声データとともにコンテンツデータを視聴することができる。第３モードにおいて、視聴者は音声を聴くことなく２次元映像を視聴する。
【０１５２】
上述の実施形態の他の局面に係る表示装置は、第１視点用の第１画像と、第２視点用の第２画像とを含む映像データを用いて立体的に映像を知覚させるためのコンテンツデータを再生する再生部と、前記映像データを表示する表示部と、前記コンテンツデータを再生するときの再生速度を設定する設定部と、該設定部により設定された前記再生速度に応じて、前記第１画像と前記第２画像との間の視差に関する視差情報を調整する調整部と、を備えることを特徴とする。
【０１５３】
上記構成によれば、再生部が再生するコンテンツデータを表示する表示部は、第１視点用の第１画像と、第２視点用の第２画像とを含む映像データを用いて立体的に映像を知覚させる。設定部は、コンテンツデータを再生するときの再生速度を設定する。調整部は、設定部により設定された再生速度に応じて第１画像と第２画像との間の視差に関する視差情報を調整する。再生速度に応じて視差情報が調整されるため、視聴者が比較的短時間でコンテンツ内容を把握できるように速い再生速度でコンテンツデータを再生しても、視聴者の眼に対する疲労の増大が抑制される。
【０１５４】
上記構成において、前記設定部は、前記コンテンツデータを第１速度で再生するための第１モードと、前記コンテンツデータを前記第１速度よりも速い第２速度で再生するための第２モードと、前記コンテンツデータを前記第２速度よりも速い第３速度で再生するための第３モードと、選択的に設定し、前記調整部は、前記第３モードにおいて、前記第１画像及び前記第２画像のうちいずれか一方のみを前記表示部に表示させることが好ましい。
【０１５５】
上記構成によれば、第３速度でコンテンツデータが再生されるとき、視聴者は２次元的にコンテンツデータを知覚することができる。
【０１５６】
本発明の更に他の局面に係る第１視点用の第１画像と、第２視点用の第２画像とを含む映像データを用いて立体的に映像を知覚させるためのコンテンツデータを再生する画像再生プログラムは、前記コンテンツデータを第１速度で再生するための第１モード又は前記第１速度よりも速い第２速度で再生するための第２モードとを選択する機能と、前記第２モードにおける前記コンテンツデータを視聴する視聴者に知覚される前記映像データ中のオブジェクトの飛び出し量又は引き込み量のうち少なくとも一方の知覚量の変動量が、前記第１モードにおける前記変動量よりも小さくする機能と、を前記コンテンツデータを再生する画像再生装置に発揮させることを特徴とする。
【０１５７】
上記構成によれば、画像再生プログラムによって再生されるコンテンツデータは、第１視点用の第１画像と、第２視点用の第２画像とを含む映像データを用いて立体的に映像を知覚される。画像再生プログラムは、コンテンツデータを第１速度で再生するための第１モード又は前記第１速度よりも速い第２速度で再生するための第２モードの選択を可能にする。視聴者は、第２モードにおいて、第１モードにおける知覚量の変動量よりも低減された変動量のコンテンツデータを視聴するので、視聴者の眼に対する負担が軽減される。また、第２モードにおいて、コンテンツデータの第１画像及び第２画像を視聴する視聴者は、立体的に映像を知覚しつつ、短時間でコンテンツ内容を把握することができる。
【産業上の利用可能性】
【０１５８】
上述の実施形態に係る原理は、記録媒体に記録した３次元画像及び音声を再生する画像再生装置として利用可能である。上述の原理は、特に、半導体メモリや光ディスクといった記録媒体から３次元画像を再生するビデオプレーヤとして、好適に利用可能である。上述の原理に従うビデオプレーヤは、早見再生（例えば、１．３倍速）や低倍速の高速再生の際に、視差量の時間変化を抑え、眼精疲労を抑制することができる。
【手続補正３】
【補正対象書類名】図面
【補正対象項目名】全図
【補正方法】変更
【補正の内容】
【図１】
2011080878.tif 000020
【図２】
2011080878.tif 000021
【図３】
2011080878.tif 000022
【図４】
2011080878.tif 000023
【図５】
2011080878.tif 000024
【図６】
2011080878.tif 000025
【図７】
2011080878.tif 000026
【図８】
2011080878.tif 000027
【図９】
2011080878.tif 000028
【図１０】
2011080878.tif 000029
【図１１】
2011080878.tif 000030
【図１２】
2011080878.tif 000031
【図１３】
2011080878.tif 000032
【図１４】
2011080878.tif 000033
【図１５】
2011080878.tif 000034
【図１６】
2011080878.tif 000035
【図１７】
2011080878.tif 000036
【国際調査報告】
2011080878.tif 000037
2011080878.tif 000038
2011080878.tif 000039